(57)【要約】      （修正有）【課題】リング上のパケットまたはセルまたはセルヘッダ付きパケット転送で使用する網の持つドロップアドレスまたはドロップアドレステーブルのアドレス長を短くできる分割アドレス転送が可能な網を提供する。【解決手段】セルまたはパケットまたはセルヘッダ付きパケットを転送する網において、階層内の集点または階梯内の集点を持つ網であり、上り方向では、階層内にセルまたはパケットまたはセルヘッダ付きパケットの接続先下り経路がある階層の下の階層では、その階層でのみ有効使用可能な分割宛先アドレスおよびその階層でのみ有効使用可能な送信元アドレスは持たないか、またはその階層でのみ有効使用可能な宛先アドレスは持たず、その階層でのみ有効使用可能な送信元アドレスは持つか、あるいはその階層でのみ有効使用可能な送信元アドレスは持っても使用しない構成とする。【選択図】図１
2014116854.tif 000002
【特許請求の範囲】
【請求項１】
セルまたはパケットまたはセルヘッダ付きパケットを転送する網において、
その網は、階層内の集点または階梯内の集点を持つ網であり、宛先に向かうセルまたはパケットまたはセルヘッダ付きパケットは、
上り方向では、階層内にセルまたはパケットまたはセルヘッダ付きパケットの接続先下り経路がある階層の下の階層では、
その階層でのみ有効使用可能な分割宛先アドレスおよびその階層でのみ有効使用可能な送信元アドレスは持たないか、またはその階層でのみ有効使用可能な宛先アドレスは持たず、その階層でのみ有効使用可能な送信元アドレスは持つか、あるいはその階層でのみ有効使用可能な送信元アドレスは持っても使用しない構成で、かつスルービットで通過し、さらに、階梯内は階梯内の集点に向かうスルービットで通過し、
一方、頂上階梯内の平行方向および下り方向および下り方向の途中の階梯内の平行方向では、階層内の集点または階梯内の集点から分散するための階層内の集点または階梯内の集点から分散するための複数階層の階層毎の宛先分割アドレスのみを持つ網のドロップアドレスメモリまたはドロップアドレステーブルにより転送されること、
を特徴とするセルまたはパケットまたはセルヘッダ付きパケットを転送する網。
【請求項２】
請求項１に記載の網において、
集点を持つ網は、複数ノードまたは複数ノードを持つ複数リング網または複数ノードをメッシュ状に接続したメッシュ網または複数ノードを持つ複数リング網をメッシュ伝送路で接続した網または複数ノードを持つリング網を串刺し状に接続した網または複数ノードを持つリング網を串刺し状に始点リングと終点リングが接続した網を一つの階梯として、複数階梯間をツリー状に接続した構造の複合網であること、
を特徴とするセルまたはパケットまたはセルヘッダ付きパケットを転送する網。
【請求項３】
請求項２に記載の網において、
階層構造の階層毎に、独立した分割アドレスを持ち、かつ各階層内の地域毎に独立した分割アドレスを持ち、その分割アドレスで、その各階層の各地域内を、セルまたはパケットまたはセルヘッダ付きパケットを転送すること、
を特徴とするセルまたはパケットまたはセルヘッダ付きパケットを転送する網。
【請求項４】
請求項３に記載の網において、
各階層の各地域内で使用する分割アドレスは、最下位階層を除く、その各階層の各地域内の特定ノードのアドレスであること、
を特徴とするセルまたはパケットまたはセルヘッダ付きパケットを転送する網。
【請求項５】
請求項２，３または４に記載の網において、
複合網が複数のリング網からなる網の構成は、
セルまたはパケットまたはセルヘッダ付きパケットを転送するリング網をツリー状に接続した、多段リング・ツリー網、または、
セルまたはパケットまたはセルヘッダ付きパケットを転送する複数のリング網間をメッシュ状に接続したメッシュ網リング網の各リングの下に、セルまたはパケットまたはセルヘッダ付きパケットを転送するリング網をツリー状に接続した、多段リング・ツリー網の最上位リングを接続した複合リング網、または、
セルまたはパケットまたはセルヘッダ付きパケットを転送するリング網を串刺し状に多数接続したリング網の下に、セルまたはパケットまたはセルヘッダ付きパケットを転送するリング網をツリー状に接続した、多段リング・ツリー網の最上位リングを接続した複合リング網、または、
セルまたはパケットまたはセルヘッダ付きパケットを転送するリング網を平面状に多数接続した固定経路が前もって、設定されているメッシュ状リング網の複数の各リングの下に、セルまたはパケットまたはセルヘッダ付きパケットを転送するリング網をツリー状に接続した、多段リング・ツリー網の最上位リングを接続した複合リング網、または、
セルまたはパケットまたはセルヘッダ付きパケットを転送するリング網を串刺し状に多数接続したリング網の始点リング網と終点リング網を接続したループ状構成の串さしリング網下に、セルまたはパケットまたはセルヘッダ付きパケットを転送するリング網をツリー状に接続した、多段リング・ツリー網の最上位リングを接続した複合リング網、または、
セルまたはパケットまたはセルヘッダ付きパケットを転送する複数のリング網間をメッシュ状に接続したメッシュ網リング、網または、
セルまたはパケットまたはセルヘッダ付きパケットを転送するリング網をツリー状に接続した、多段リング・ツリー網、または、
セルまたはパケットまたはセルヘッダ付きパケットを転送するリング網を串刺し状に多数接続したリング網の始点リング網と終点リング網を接続したループ状構成の串さしリング網、または
セルまたはパケットまたはセルヘッダ付きパケットを転送するリング網を平面状に多数接続した固定経路が前もって、設定されているメッシュ状リング網、または、
セルまたはパケットまたはセルヘッダ付きパケットを転送するリング網を串刺し状に多数接続したリング網、
のいずれかの網の下に、
セルまたはパケットまたはセルヘッダ付きパケットを転送する複数のリング網間をメッシュ状に接続したメッシュ網リング網、または、
セルまたはパケットまたはセルヘッダ付きパケットを転送するリング網を串刺し状に多数接続したリング網の始点リング網と終点リング網を接続したループ状構成の串さしリング網、または、
セルまたはパケットまたはセルヘッダ付きパケットを転送するリング網を平面状に多数接続した固定経路が前もって、設定されているメッシュ状リング網または、
セルまたはパケットまたはセルヘッダ付きパケットを転送するリング網を串刺し状に多数接続したリング網、
のいずれかの網を置き、
上記下位網のリングにそれより下から上がったセルまたはパケットまたはセルヘッダ付きパケットをそのリングから、上記下位網の他のリングをスルーすることなく、上位網のいずれかのリングに直接接続する構成で、かつ、上記下位網の各リングの下には、単一リングまたは、セルまたはパケットまたはセルヘッダ付きパケットを転送するリング網をツリー状に接続した、多段リング・ツリー網の最上位リングを接続した構成の複合網であること、
を特徴とするセルまたはパケットまたはセルヘッダ付きパケットを転送する網。
【請求項６】
請求項５に記載の網において、
この網に既存インターネット端末、サーバを収容するように構成した場合には、既存ＩＰ端末または既存ＩＰサーバは、それらの持つ既存ＩＰアドレスで、他の既存ＩＰ端末または既存ＩＰサーバと従来通りの接続関係を維持できること、
を特徴とするセルまたはパケットまたはセルヘッダ付きパケットを転送する網。
【請求項７】
請求項２、３または４に記載の網において、
この網で使用される網構成の網が、複数階層を持つ網の一つの階梯網で、ノードをメッシュ状に接続した網である場合の、経路設定は、前もって手動で設定するか、
その網が、その網の属する階層の最下位網である場合には、下位網との接続ノードの持つアドレスを持つ経路設定セルまたは経路設定パケットをその地域網内の全ノードまたはその階梯内の全ノードにフラッディングで配布し、フラッディング先のノードの入口のポートにあるメモリに前記アドレスを登録する際に、そのノードの他のポートのメモリまたは自ポートのメモリにそのアドレスが記録されていない場合にのみ、記録するか、
または、フラッディング先の入力ポート番号とアドレスを記録するそのノード対応のドロップアドレスメモリまたはドロップアドレステーブルに前記アドレスが記録されていない場合に、入力ポート番号と前記アドレスを記録し、それとともに、フラッディングを継続し、既に記録されている場合には、そのセルまたはパケットを廃棄する構成であり、
かつ、その網の集点ノードのフラッディングは、上位網の入口ノードのドロップアドレスメモリまたはドロップアドレステーブルに前記経路設定セルまたは経路設定パケットのアドレスを記録後、そのセルまたはパケットは廃棄する構成であり、
一方、その網が、その網の属する階層の最下位網でない場合には、
下位網との接続ノードのドロップアドレスメモリまたはドロップアドレステーブルに記録されたアドレスを持つ経路設定セルまたは経路設定パケットをその地域網内の全ノードまたはその階梯内の全ノードにフラッディングで配布し、フラッディング先のノードの入口のポートにあるメモリに前記アドレスを登録する際に、そのノードの他のポートのメモリまたは自ポートのメモリにそのアドレスが記録されていない場合にのみ、記録するか、
または、フラッディング先の入力ポート番号とアドレスを記録するそのノード対応のドロップアドレスメモリまたはドロップアドレステーブルに前記アドレスが記録されていない場合に、入力ポート番号と前記アドレスを記録し、それとともに、フラッディングを継続し、既に記録されている場合には、そのセルまたはパケットを廃棄する構成であり、
かつ、その網の集点ノードのフラッディングは、その網がその網の属する階層の最上位網でない場合のみ行い、その方法は、上位網の入口ノードのドロップアドレスメモリまたはドロップアドレステーブルに前記経路設定セルまたは経路設定パケットのアドレスを記録後、そのセルまたはパケットは廃棄する構成であること、
を特徴とするセルまたはパケットまたはセルヘッダ付きパケットを転送する網。
【請求項８】
請求項７に記載の網において、
最下位階梯の経路設定パケットはＡＲＰパケットであり、その最下位階梯の端末が接続されたノードは、受信したＡＲＰパケットを経路設定パケットとして、その階梯内をフラッディングさせ、その階梯の集点ノードから上位網へのフラッディングは、上位網入口のドロップアドレスメモリへのアドレス書き込み後、ＡＲＰパケットを廃棄するのではなく、引き続きその上位網階梯でもＡＲＰパケットでフラッディングし、集点ノードの無い最上位階梯に到達した場合には、その階梯の入口ノードのドロップアドレスメモリにそのアドレスを書き込んだ後、そのパケットは廃棄する構成であり、
端末はＡＲＰパケットを送出した後、ＡＲＰ応答パケットを受信しなくても、通信開始パケットを送出し、その階梯に宛先が無い場合には、その階梯の集点ノードまでスルーでパケット転送し、そのノードで上位階梯に上がり、その階梯でも宛先が無い場合には、その階梯の集点ノードまでスルーでパケット転送し、そのノードで上位階梯に上がることを繰り返し、宛先アドレスのある階梯でドロップして、宛先端末に接続すること、を特徴とするセルまたはパケットまたはセルヘッダ付きパケットを転送する網。
【請求項９】
請求項８に記載の網において、
下り方向では、ＭＡＣパケットは送信元アドレスを残さないこと、
を特徴とするセルまたはパケットまたはセルヘッダ付きパケットを転送する網。
【請求項１０】
請求項１乃至６に記載の網において、
ノードは順方向伝送路を流れる単位時間内のセル数または単位時間内のパケットのパケット長を書いたビット列の上位ビットを読み取った合計値から、伝送路レートを求め、輻輳予測を判断し、セルヘッダまたはパケットヘッダに輻輳ビット表示すること、
を特徴とするセルまたはパケットまたはセルヘッダ付きパケットを転送する網。
【請求項１１】
請求項７、８に記載の網において、
ノードは順方向伝送路を流れる単位時間内のパケットのパケット長を書いたビット列の上位ビットを読み取った合計値から、伝送路レートを求め、輻輳予測を判断し、パケットヘッダに輻輳ビット表示すること、
を特徴とするセルまたはパケットまたはセルヘッダ付きパケットを転送する網。
【請求項１２】
請求項５、６乃至１０に記載の網において、
この網のリングのノードにＡＤＤするセルまたはパケットまたはセルヘッダ付きパケットは、そのノード番号をセルまたはパケットまたはセルヘッダ付きパケットに書き込んでリングに上がり、そのノード番号と同じ番号のノードに到達した場合には、多周回ビットを付与すること、
を特徴とするセルまたはパケットまたはセルヘッダ付きパケットを転送する網。
【請求項１３】
請求項１乃至７に記載の網において、
ドロップアドレスメモリは、初期状態のメモリデータがオール１で、記録するアドレス位置に通常のデータ１を記録する場合は、記録するデータは０を記録すること、
を特徴とするセルまたはパケットまたはセルヘッダ付きパケットを転送する網。
【請求項１４】
請求項１乃至７または１３に記載の網において、
この網に属する各ノードのドロップアドレスメモリに必要なアドレスまたはドロップアドレスメモリの記録が必要なアドレスに対応する特定データの記録は、全ノードについて前もって設定されていること、
を特徴とするセルまたはパケットまたはセルヘッダ付きパケットを転送する網。
【請求項１５】
請求項１乃至６，１０または１２に記載の網において、
全リングの各ノードのドロップアドレスメモリのアドレスまたはドロップアドレスメモリへ記録が必要なアドレスのアドレス位置にそのアドレスを記録したことを示す特定データの記録は、各階層網の入口のノードのアドレスを持つ片経路設定セルまたは片経路設定パケットにより設定されること。
を特徴とするセルまたはパケットまたはセルヘッダ付きパケットを転送する網。
【請求項１６】
請求項１５に記載の網において、
片経路設定する対象の階層の網がツリー状リング網の場合には、その階層の最下位リングの下の網または端末と接続するノードのアドレスをそのノードのドロップアドレスメモリに残すとともに、そのノードのアドレスを持つ片経路設定セルまたは片経路設定パケットを一度または定期的にその階層の最上位リングの入口のドロップアドレスメモリまで、途中のリングは入口のドロップアドレスメモリにそのアドレスを書き込むのみで、そのリング上はスルーして、上位リングに上がるノードで、上位リングに上がり、最上位リングのドロップアドレスメモリにそのアドレスを書き込んだ後、そのセルまたはパケットは廃棄する構成であること、
を特徴とするセルまたはパケットまたはセルヘッダ付きパケットを転送する網。
【請求項１７】
請求項１５に記載の網において、
片経路設定する対象の階層の網が、メッシュ状リング網の場合には、その網の各リングの下の網または端末と接続するノードのアドレスをそのノードのドロップアドレスメモリに残すとともに、そのノードのアドレスを持つ片経路設定セルまたは片経路設定パケットをコピー可能セルまたはパケットに変換して、一度または定期的に、そのリングを周回させ、リング上のメッシュ伝送路に接続するノードでコピーして、メッシュ伝送路に送出し、その伝送路の接続先のメッシュ網リングの入口のドロップアドレスメモリに到達した場合には、そのメモリにそのセルまたはパケットの持つアドレスを書き込んだ後、その片経路設定セルまたは片経路設定パケットは廃棄する構成で、元のリングを周回したコピー可能片経路設定セルまたは片経路設定パケットは、ドロップアドレスメモリにそのセルまたはパケットの持つアドレスがあるノードに戻った場合には、その片経路設定セルまたは片経路設定パケットは廃棄する構成であること、
を特徴とするセルまたはパケットまたはセルヘッダ付きパケットを転送する網。
【請求項１８】
請求項１５に記載の網において、
片経路設定する対象の階層の網が串刺し状網の場合には、その網の各リングの下の網または端末と接続するノードのアドレスをそのノードのドロップアドレスメモリに残すとともに、そのノードのアドレスを持つ片経路設定セルまたは片経路設定パケットをコピー可能セルまたはコピー可能パケットにして、一度または定期的に、そのリングに周回させ、そのリング上の隣接リングに接続するノードでコピーして、隣接リングに送出する構成で、送信元のドロップアドレスメモリにそのセルまたはパケットの持つアドレスがあるノードに戻った片経路設定セルまたは片経路設定パケットは廃棄し、前記隣接リングに上がった片経路設定セルまたは片経路設定パケットは、そのリング入口のドロップアドレスメモリにそのセルまたはパケットの持つアドレスを書き込んだ後、そのリングを周回し、隣接ノードに接続するノードでドロップして、隣接リングに移る動作を繰り返し、串刺し状リング網の端のリングで隣接リングが無く、ドロップアドレスメモリにそのセルまたはパケットの持つアドレスがあるノードに戻った場合には、その片経路設定セルまたは片経路設定パケットは廃棄すること、
を特徴とするセルまたはパケットまたはセルヘッダ付きパケットを転送する網。
【請求項１９】
請求項１５に記載の網において、
片経路設定する対象の階層の網が、リング網を串刺し状に多数接続したリング網の始点リング網と終点リング網を接続したループ状構成の串さしリング網の場合は、
その網の各リングの下の網または端末と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードで、隣接リングにドロップし、その隣接リングに上がった片経路設定セルまたは片経路設定パケットは、そのリング入口のドロップアドレスメモリにそのセルまたはパケットの持つアドレスとマークを書き込むとともにそれらを仮設定とし、そのリングを周回して、リング上のドロップアドレスメモリにそのセルまたはパケットの持つアドレスを持つノードがある場合には、そのリングを１周してアドレスが仮設定されているノードに戻った場合、その仮設定されたアドレスとマークを削除するとともに、そのセルまたはパケットを廃棄し、一方、リング上のドロップアドレスメモリにそのセルまたはパケットの持つアドレスを持つノードが無い場合には、そのリングを１周してアドレスが仮設定されているノードに戻った場合、その仮設定されたアドレスを本設定にするとともに、多周回ビットを付けて、リングを周回し、多周回ビットのある片経路設定セルまたは片経路設定パケットは、隣接ノードに接続するノードでドロップして、隣接リングに移り、隣接リングの入口のドロップアドレスメモリにそのアドレスとマークを仮設定し、上記と同様な動作を繰り返すことにより片経路設定する方法か、
または、
その網の各リングの下の網または端末と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードにそのセルまたはパケットの持つアドレスの書き込みを禁止する記録を残して、元のノードまで周回させ、元のノードで多周回ビットを付けて、周回させ、多周回ビットの付いた片経路設定セルまたは片経路設定パケットは、隣接リングに接続するノードでドロップし、その隣接リングに上がった多周回ビット付片経路設定セルまたは片経路設定パケットは、そのリング入口のドロップアドレスメモリにそのセルまたはパケットの持つアドレスを書き込んだ後周回し、同様に離接ノード入口のドロップアドレスメモリに、そのアドレスの禁止が設定されているリングのノードまで、進み、そのアドレスの禁止が設定されているリングのノードで、その多周回ビット付片経路設定セルまたは片経路設定パケットは廃棄されることにより片経路設定する方法を用いること、
を特徴とするセルまたはパケットまたはセルヘッダ付きパケットを転送する網。
【請求項２０】
請求項１５に記載の網において、
この網が固定電話番号アドレスで転送される網であり、片経路設定する対象の階層の網が、メッシュ状リング網の上にメッシュ状リング網を接続する網の場合には、下位網のメッシュ状リング網の各リングの上位網への接続ノードが、上位網が国際網である場合には、自国の国際電話番号アドレスにそのノード番号アドレスを付加した国際接続番号アドレスを作り、そのアドレスを持つ片経路設定セルまたは片経路設定パケットを一度または定期的に上位網に、上位網との接続ノードから上位網の一つのメッシュ状リングに上げ、上位網の入口のドロップアドレスメモリにそのアドレスを残すとともに、そのノードで、そのセルまたはパケットをコピー可能セルまたはコピー可能パケットに変換して、そのリングを周回して、全てのメッシュ伝送路に接続するノードでコピーして、メッシュ伝送路に送出し、接続先のメッシュ状リングの入口のドロップアドレスメモリに前記アドレスを書き込んだ後、その片経路設定セルまたは片経路設定パケットは廃棄する構成で、送信元のリングを周回したコピー可能片経路設定セルまたは片経路設定パケットは、そのリングの下位網との接続ノードに戻った場合には、廃棄する構成で、
この網から外国に発呼されるセルまたはパケットまたはセルヘッダ付きパケットは、上位網との接続ノードで、自国アドレスにそのノード番号アドレスを付加した送信元アドレスをもつとともに、相手外国の国際電話番号にその国で使用されている可能性のある全ての付加アドレスをそれぞれ持つ国際接続番号アドレスを持つ複数の発呼セルまたは発呼パケットまたは発呼セルヘッダ付きパケットに変換するとともにコピーして、上位網に送出し、相手国の宛先端末に到達した発呼セルまたは発呼パケットの持つ送信元アドレスと宛先アドレスから、その宛先端末は応答セルまたは応答パケットまたは応答セルヘッダ付きパケットを作成し、発信元に送出すること、
を特徴とするセルまたはパケットまたはセルヘッダ付きパケットを転送する網。
【請求項２１】
請求項５，６，１０，１５乃至２０に記載の網において、
リング上にＡＤＤするセルまたはパケットまたはセルヘッダ付きパケットはその宛先アドレスまたは送信元アドレスの特定位置のビットの示すリング伝送路に上がること、
を特徴とするセルまたはパケットまたはセルヘッダ付きパケットを転送する網。
【請求項２２】
請求項２１に記載の網において、
リングにＡＤＤする発信側から着信側に向かうセルまたはパケットまたはセルヘッダ付きパケットが選択するリング伝送路が、宛先アドレス（送信元アドレス）の特定位置のビットの示す伝送路とした場合には、着信側から発信側に向かうパケットが選択するリング伝送路は、送信元アドレス（宛先アドレス）の特定位置のビットの示す伝送路とすること、
を特徴とするセルまたはパケットまたはセルヘッダ付きパケットを転送する網。
【請求項２３】
請求項１２乃至２０に記載の網において、
リング上にＡＤＤするセルまたはパケットまたはセルヘッダ付きパケットはそのセルまたはパケットまたはセルヘッダ付きパケットの持つリング伝送路識別ビットの示すリング伝送路に上がること、
を特徴とするセルまたはパケットまたはセルヘッダ付きパケットを転送する網。
【請求項２４】
請求項２３に記載の網において、
リングにＡＤＤする着信側から発信側に向かうセルまたはパケットまたはセルヘッダ付きパケットが選択するリング伝送路は、発信側から着信側に向かうセルまたはパケットまたはセルヘッダ付きパケットはそのセルまたはパケットまたはセルヘッダ付きパケットの持つリング伝送路識別ビットとは逆のリング伝送路識別ビットを持つリング伝送路識別ビットの示すリング伝送路であること、
を特徴とするセルまたはパケットまたはセルヘッダ付きパケットを転送する網。
【請求項２５】
請求項２１、２２、２３または２４に記載の網において、
この網の最下位階層のエッジノードリングにＡＤＤする発呼セルまたはパケットまたはセルヘッダ付きパケットはそのリングの呼処理回路により相手エッジノードリングの呼処理回路間の伝送路の輻輳状態をチェックしてもらい、スルー伝送路の輻輳が予測される場合には、呼損として、廃棄すること、
を特徴とするセルまたはパケットまたはセルヘッダ付きパケットを転送する網。
【請求項２６】
請求項１乃至６、１０、１２、１５乃至２５に記載の網において、
転送されるパケットのＭＡＣは、ＭＡＣ  ｉｎ  ＭＡＣ  または  ＭＡＣ  ｉｎ  ＭＡＣ  ｉｎ  ＭＡＣであり、転送されるセルまたはセルヘッダ付きパケットのセルヘッダは、ダブルセルヘッダまたはセルヘッダのビット長を伸ばしたダブルセルヘッダであること、
を特徴とするセルまたはパケットまたはセルヘッダ付きパケットを転送する網。
【請求項２７】
請求項２６に記載の網において、
ＭＡＣ  ｉｎ  ＭＡＣ  または  ＭＡＣ  ｉｎ  ＭＡＣ  ｉｎ  ＭＡＣの持つアドレスまたはダブルセルヘッダまたはセルヘッダのビット長を伸ばしたダブルセルヘッダの持つアドレスは、既存固定電話番号の各桁の１０進数表示の０から９を４ビットの２進数に置き換えた固定電話２進ビット列であること、
を特徴とするセルまたはパケットまたはセルヘッダ付きパケットを転送する網。
【請求項２８】
請求項２７に記載の網において、
ＭＡＣ  ｉｎ  ＭＡＣ  または  ＭＡＣ  ｉｎ  ＭＡＣ  ｉｎ  ＭＡＣの一つのＭＡＣの持つアドレスまたはダブルセルヘッダまたはセルヘッダのビット長を伸ばしたダブルセルヘッダの一つのセルヘッダの持つアドレスの特定位置の１６ビットは、既存固定電話番号の各桁の１０進数表示の０から９を４ビットの２進数に置き換えた固定電話２進ビット列の下位１６ビットであること、
を特徴とするセルまたはパケットまたはセルヘッダ付きパケットを転送する網。
【請求項２９】
請求項２７に記載の網において、
ＭＡＣ  ｉｎ  ＭＡＣ  または  ＭＡＣ  ｉｎ  ＭＡＣ  ｉｎ  ＭＡＣまたは、ダブルセルヘッダまたはセルヘッダのビット長を伸ばしたダブルセルヘッダは、特定位置のアドレス１６ビットを最下階層である下位エッジノードリングで固定電話番号の１０進表示下位４桁に相当する１フローアドレスとして用い、特定位置のアドレス２０ビットを中間階層である固定電話番号の１０進表示下位５番目から９番目までの５桁に対応するビット列であるパスアドレスとして用い、さらに、残りのアドレスビット列を固定電話番号に対応する外国接続用ビット列８ビットとして用いること、
を特徴とするセルまたはパケットまたはセルヘッダ付きパケットを転送する網。
【請求項３０】
請求項２９に記載の網において、
固定電話番号に対応する外国接続用ビット列８ビットに付加ビット列を付けて、外国接続用ビット列として用いること、
を特徴とするセルまたはパケットまたはセルヘッダ付きパケットを転送する網。
【請求項３１】
請求項２９に記載の網において、
外国に接続する場合には、その外国用の中間階層ビット列を用い、自国内の中間階層はスルービットを立ててスルーさせること、
を特徴とするセルまたはパケットまたはセルヘッダ付きパケットを転送する網。
【請求項３２】
請求項２７，２８または２９に記載の網において、
ＭＡＣ  ｉｎ  ＭＡＣパケットまたはＭＡＣ  ｉｎ  ＭＡＣ  ｉｎ  ＭＡＣパケットの内側のＭＡＣヘッダまたはダブルセルヘッダまたはセルヘッダのビット長を伸ばしたダブルセルヘッダの後に置かれるＭＡＣヘッダは、固定電話番号転送に用い、従来ＭＡＣ使用との区別はＭＡＣヘッダの第７番目のビットの０，１で判断すること、
を特徴とするセルまたはパケットまたはセルヘッダ付きパケットを転送する網。
【請求項３３】
請求項３２に記載の網において、
家庭内のパソコンから、固定電話番号の代わりに携帯電話番号を送り、固定電話と携帯電話の区別はＭＡＣヘッダの空きビットを用いること、
を特徴とするセルまたはパケットまたはセルヘッダ付きパケットを転送する網。
【請求項３４】
請求項３２に記載の網において、
固定電話番号の代わりに、携帯電話番号を入れ、固定電話と携帯電話の区別はＭＡＣヘッダの空きビットで行うことを特徴とする
セルまたはパケットまたはセルヘッダ付きパケットを転送する網。
【請求項３５】
請求項１乃至７、１０、１２乃至３４に記載の網において、
この網の最下位階層の下または最下位階層の網の代わりに置かれた無線エッジノードリング内は、無線用１フローアドレスで転送し、携帯端末への無線のそのリングでユニークな１フローアドレスの割り付けは、携帯端末発呼時に、発呼登録携帯端末に対して、前記無線エッジノードリングのノードに置かれる基地局が行い、着信側は、相手携帯番号を含む適当な前記無線エッジノードリングでユニークな１フローアドレスを持つパケットを、基地局が着信端末側にコピーパケットで呼び出しを行い、その１フローアドレスを使用した応答パケットで、発呼側に繋ぐこと、
を特徴とするセルまたはパケットまたはセルヘッダ付きパケットを転送する網。
【請求項３６】
請求項３５に記載の網において、
無線エッジノードリングのノードに置かれる発携帯アドレスメモリは、携帯番号が登録されるメモリであり、携帯端末の発呼時は、発携帯端末は、発携帯端末番号を含む電波を出し、発携帯端末から初めて電波を受けた基地局は、その発携帯端末の携帯番号を含む発呼登録パケットをそのノードの属する携帯登録用リングに上げ、そのノードの発携帯アドレスメモリにその携帯番号を記録するとともに、そのノード番号をその登録パケットに書き込んで、携帯登録用リング上を周回させ、その携帯番号がノードの発携帯アドレスメモリに記録されている場合で、そのノード番号が、そのパケットの持つノード番号より大きい場合には、その携帯番号記録を消し、
一方、その携帯番号が記録されている場合で、そのノード番号が、そのパケットの持つノード番号より小さい場合には、その旨をそのパケットに記録して、そのパケットに記録されているノード番号の元のノードに戻り、そのノードの発携帯アドレスメモリの記録した携帯番号の記録を消去する構成であり、その発携帯アドレスメモリへの携帯番号の書き込みから一定時間経過しても記録が残っている場合には、そのノードが発呼受付したと判断し、その携帯番号にその無線エッジノードリングでユニークな１フローアドレスを与えて、その１フローアドレスを、そのノードの送信リングの送信アドレスメモリおよび着信リングの着信アドレスメモリに記録し、その旨を、そのノードの基地局が、発信側の局へ、その基地局のその階層のアドレスとその１フローアドレスと発携帯番号とそのホームメモリと相手携帯番号とそのホームメモリまたは接続先ＩＰアドレスまたは相手固定電話番号を持つパケットを送出して、発呼処理を行うこと、
を特徴とするセルまたはパケットまたはセルヘッダ付きパケットを転送する網。
【請求項３７】
請求項３５に記載の網において、
無線エッジノードリングのノードに置かれる送信アドレスメモリは、携帯番号の持つ１フローアドレスが登録されるメモリであり、携帯端末の受信エリアが変わったと判断した時は、その携帯端末は、それまで出していた発信番号より一つ増加した発信番号の電波を出し、携帯端末から初めてかこれまでと発信番号の異なる電波を受けた基地局で、その携帯端末を接続中でない基地局は、その携帯端末の１フローアドレスと発信番号を含む移動登録パケットをそのノードの属する送信リングに上げ、そのノードの送信アドレスメモリにその１フローアドレスと発信番号を記録するとともに、そのノード番号をその移動登録パケットに書き込んで、送信リング上を周回させ、その１フローアドレスがノードの送信アドレスメモリに記録されている場合で、その記録されている発信番号がそのパケットの持つ発信番号より小さい場合には、そのノードの送信アドレスメモリと着信アドレスメモリのその発信番号と１フローアドレス記録を消去し、発信番号が同じでそのノード番号が、そのパケットの持つノード番号より大きい場合には、そのノードの送信アドレスメモリのその発信番号と１フローアドレス記録を消し、
一方、１フローアドレスが記録されている場合で、発信番号がそのパケットの持つ番号と同じで、そのノード番号が、そのパケットの持つノード番号より小さい場合には、その旨をそのパケットに記録して、そのパケットに記録されているノード番号の元のノードに戻り、そのノードの送信リングの記録した１フローアドレスと発信番号の記録を消去する構成であり、その送信アドレスメモリへの１フローアドレスの書き込みから一定時間経過しても記録が残っている場合には、そのノードが移動受付したと判断し、その１フローアドレスを着信リングの着アドレスメモリに記録し、その旨を、そのノードの基地局が、その携帯端末のホームメモリに、その携帯端末番号とその基地局のアドレスを位置登録するとともに、発信側の局または受信側の局に、その基地局のその階層のアドレスとその携帯番号と１フローアドレスとそのホームメモリと相手携帯番号とそのホームメモリまたは接続先ＩＰアドレスまたは相手固定電話番号を持つパケットを送出して、移動受付処理を行うこと、
を特徴とするセルまたはパケットまたはセルヘッダ付きパケットを転送する網。
【請求項３８】
請求項３５に記載の網において、
無線エッジノードリングのノードに置かれる着信アドレスメモリは、着信１フローアドレスが登録されるメモリであり、着信時は、着信側の局が、着信携帯端末が現在存在すると思われる無線エッジノードリング上の全ての基地局から一斉にその無線エッジノードリングでユニークな１フローアドレスを含む着信端末携帯番号を呼び出し、着信端末からの１フローアドレスを含む応答電波を受けた基地局が、その着信応答端末の１フローアドレスを含む着信応答登録パケットをそのノードの属する着信リングに上げ、そのノードの着信アドレスメモリにその１フローアドレスを記録するとともに、そのノード番号をその着信登録パケットに書き込んで、着信リング上を周回させ、そのリング上の着信アドレスメモリにその１フローアドレスが記録されていない場合には、その１フローアドレスの記録を禁止する処置を行い、記録されている場合で、そのノード番号が、そのパケットの持つノード番号より大きい場合には、その記録を消すとともに、その１フローアドレスの書き込みを禁止する処置を取り、
一方、記録されている場合で、そのノード番号が、そのパケットの持つノード番号より小さい場合には、その旨をパケットに記録して、そのパケットに記録されているノード番号の元のノードに戻り、そのノードの着信アドレスメモリの記録した１フローアドレスの記録を消去するとともに、その１フローアドレスの書き込みを禁止する処置を取る構成であり、その着信アドレスメモリへの１フローアドレスの書き込みから一定時間経過しても記録が残っている場合には、そのノードが着信応答受付したと判断し、そのノードの基地局が、前記着信側の局へ、その基地局のその階層のアドレスと１フローアドレスと発携帯番号と着信携帯番号を持つパケットを送出して、着信応答処理を行うこと、
を特徴とするセルまたはパケットまたはセルヘッダ付きパケットを転送する網。
【請求項３９】
請求項３５に記載の網において、
無線エッジノードリングは、０系リング伝送路と１系リング伝送路を持ち、携帯端末の発呼時は、発携帯端末は、発携帯端末番号を含む電波を出し、発携帯端末から初めて電波を受けた基地局は、その発携帯端末の携帯番号を含む発呼登録パケットをそのノードのその携帯端末番号を２進数に変更したビット列の特定位置のビットに対応するリング伝送路に上げ、そのリング伝送路の発携帯アドレスメモリにその携帯番号を記録するとともに、そのノード番号をその登録パケットに書き込んで、そのリング伝送路上を周回させ、その携帯番号がノードのそのリング伝送路の発携帯アドレスメモリに記録されている場合で、そのノード番号が、そのパケットの持つノード番号より大きい場合には、その携帯番号記録を消し、
一方、その携帯番号が記録されている場合で、そのノード番号が、そのパケットの持つノード番号より小さい場合には、その旨をそのパケットに記録して、そのパケットに記録されているノード番号の元のノードに戻り、そのノードのその携帯端末番号を２進数に変更したビット列の特定位置のビットに対応するリング伝送路の発携帯アドレスメモリの記録した携帯番号の記録を消去する構成であり、
その発携帯アドレスメモリへの携帯番号の書き込みから一定時間経過しても記録が残っている場合には、そのノードが発呼受付したと判断し、その携帯番号にその無線エッジノードリングでユニークな１フローアドレスを与えて、その１フローアドレスを、その１フローアドレスの特定位置のビットに対応するリング伝送路のドロップアドレスメモリに記録し、その旨を、そのノードの基地局が、発信側の局へ、その基地局のその階層のアドレスとその１フローアドレスと発携帯番号とそのホームメモリと相手携帯番号とそのホームメモリまたは接続先ＩＰアドレスまたは相手固定電話番号を持つパケットを送出して、発呼処理を行うこと、
を特徴とするセルまたはパケットまたはセルヘッダ付きパケットを転送する網。
【請求項４０】
請求項３５に記載の網において、
無線エッジノードリング０系リング伝送路と１系リング伝送路を持ち、通信中の携帯端末の使用中の１フローアドレスは、その通信中の携帯端末が接続中の基地局のあるノードのその携帯端末の使用中の１フローアドレスの特定位置のビットに対応するリング伝送路のドロップアドレスメモリに記録されており、携帯端末の受信エリアが変わったと判断した時は、その携帯端末は、それまで出していた発信番号より一つ増加した発信番号含む電波を出し、携帯端末から初めてかこれまでと発信番号の異なる電波を受けた基地局で、その携帯端末を接続中でない基地局は、その携帯端末の１フローアドレスと発信番号を含む移動登録パケットを、その基地局のノードのその携帯端末の使用中の１フローアドレスの特定位置のビットに対応するリング伝送路に上げ、そのリング伝送路のドロップアドレスメモリにその１フローアドレスと発信番号記録するとともに、そのノード番号をその移動登録パケットに書き込んで、そのリング伝送路上を周回させ、その１フローアドレスがノードのそのリング伝送路のドロップアドレスメモリに記録されている場合で、その記録されている発信番号がそのパケットの持つ発信番号より小さい場合には、そのノードのそのドロップアドレスメモリに記録されているその１フローアドレスとその発信番号とを消去し、その１フローアドレスが前記リング伝送路のドロップアドレスメモリに記録されている場合で、それとともに記録されている発信番号がそのパケットの持つ発信番号と同じでそのノード番号が、そのパケットの持つノード番号より大きい場合には、そのノードの前記リング伝送路のドロップアドレスメモリに記録されているその１フローアドレスと発信番号とを消し、
一方、前記リング伝送路のドロップアドレスメモリにその１フローアドレスが記録されている場合で、それとともに記録されている発信番号がそのパケットの持つ番号と同じで、そのノード番号が、そのパケットの持つノード番号より小さい場合には、その旨をそのパケットに記録して、そのパケットに記録されているノード番号の元のノードに戻り、そのノードの前記リング伝送路のドロップアドレスメモリの記録した１フローアドレスと発信番号の記録を消去するとともに、そのパケットを廃棄する構成であり、そのドロップアドレスメモリへの１フローアドレスの書き込みから一定時間経過しても記録が残っている場合には、そのノードが携帯端末移動受付したと判断し、その旨を、その旨を、そのノードの基地局が、その携帯端末のホームメモリに、その携帯端末番号とその基地局のアドレスを位置登録するとともに、発信側の局または受信側の局に、その基地局のその階層のアドレスとその携帯番号と１フローアドレスとそのホームメモリと相手携帯番号とそのホームメモリまたは接続先ＩＰアドレスまたは相手固定電話番号を持つパケットを送出して、移動受付処理を行うこと、
を特徴とするセルまたはパケットまたはセルヘッダ付きパケットを転送する網。
【請求項４１】
請求項３５に記載の網において、
無線エッジノードリング０系リング伝送路と１系リング伝送路を持ち、着信時は、着信側の局が、着信携帯端末が現在存在すると思われる無線エッジノードリング上の全ての基地局から一斉にその無線エッジノードリングでユニークな１フローアドレスを含む着信端末携帯番号を呼び出し、着信端末からの１フローアドレスを含む応答電波を受けた基地局が、その着信応答端末の１フローアドレスを含む着信登録パケットをそのノードの属する前記１フローアドレスの特定位置のビットに対応するリング伝送路に上げ、そのリングのドロップアドレスメモリにその１フローアドレスを記録するとともに、そのノード番号をその着信登録パケットに書き込んで、そのリング伝送路上を周回させ、そのリング伝送路上のドロップアドレスメモリにその１フローアドレスが記録されていない場合には、その１フローアドレスの記録を禁止する処置を行い、そのリング伝送路上のドロップアドレスメモリにその１フローアドレスが記録されている場合で、そのノード番号が、そのパケットの持つノード番号より大きい場合には、その記録を消すとともに、その１フローアドレスの書き込みを禁止する処置を取り、
一方、そのリング伝送路上のドロップアドレスメモリにその１フローアドレスが記録されている場合で、そのノード番号が、そのパケットの持つノード番号より小さい場合には、その旨をパケットに記録して、そのパケットに記録されているノード番号の元のノードに戻り、そのノードの前記リング伝送路のドロップアドレスメモリの記録した１フローアドレスの記録を消去するとともに、その１フローアドレスの書き込みを禁止する処置を取るとともに、そのパケットを廃棄する構成であり、そのドロップアドレスメモリへの１フローアドレスの書き込みから一定時間経過しても記録が残っている場合には、そのノードが着信応答受付したと判断し、そのノードの基地局が、前記着信側の局へ、その基地局のその階層のアドレスと１フローアドレスと発携帯番号と着信携帯番号を持つパケットを送出して、着信応答処理を行うこと、
を特徴とするセルまたはパケットまたはセルヘッダ付きパケットを転送する網。
【発明の詳細な説明】
【技術分野】
【０００１】
本発明はＭＡＣパケットまたはセルまたはセルヘッダ付きパケットを、網の分割アドレスのみを持つドロップアドレスメモリまたはドロップアドレステーブルにより転送する網に関する。
【背景技術】
【０００２】
ＭＡＣスイッチの構成としては、特開２０００−１５１６１７「テーブル作成検索装置」がある。この従来例を図１９により説明する。この従来例は、ＭＡＣアドレスの記憶回路に関するもので、行列アドレス８００とＭＡＣアドレスデータエリアＭＡ（４８ビット）８０１とインデックスエリアＩＡ８０２を持つＲＡＭ等で構成される第１のテーブルと行列アドレス８２０とＭＡＣアドレスデータエリアＭＡ（４８ビット）８２１とインデックスエリアＩＡ８２２を持つＲＡＭ等で構成される第２のテーブルからなる。第１、第２テーブルのＭＡＣアドレスは１６進表示で示している。
【０００３】
まず、到着パケットのソースＭＡＣアドレスの記憶方法を説明する。
到着したパケットのＭＡＣアドレスの下位１６ビットの示すアドレス（例えば８０３）で、第１のテーブルのＭＡＣアドレステーブルが指定されるＭＡＣアドレスデータエリアＭＡ（４８ビット）８０１（例えば８０５）に４８ビットのＭＡＣアドレスが既に記憶されていなければ、そこに記憶し、記憶されている場合で、そのインデックスエリアＩＡに記憶アドレスが無い場合は、第２のテーブルのＭＡＣアドレスデータエリアＭＡ（４８ビット）８２１のアドレスに既にＭＡＣアドレスが記憶されていない書き込みアドレスを探し、そこにＭＡＣアドレスを記憶し（例えば８２６）、その記憶したアドレス（例えば２）を第１テーブルのインデックスエリアＩＡ８０２に記憶する（例えば８０８）。
【０００４】
次に到着したＭＡＣアドレスの下位１６ビットの示す第１テーブルのアドレス（例えば８０３）のインデックスエリアＩＡ８０２に既にアドレスが記憶されている場合には、第２テーブルのそのアドレス（例えば２）の示すインデックスエリアＩＡ１２２のエリア８３０に記憶アドレスが無い場合には、第２テーブルのＭＡＣアドレスデータエリアＭＡ（４８ビット）８２１の記憶されていないアドレスを探し、そこに到着パケットのＭＡＣアドレスを記憶し、そのアドレス（例えば３）を前記インデックスエリアＩＡ８２２の８３０に記憶する。一方、インデックエリアＩＡ８２２の８３０に既にアドレスが記憶されている場合には、そのアドレス（例えば３）の示すインデックスエリアＩＡ８２２の８３１に記憶アドレスが無い場合には、ＭＡＣアドレスデータエリアＭＡ（４８ビット）８２１のデータが記憶されていないアドレスを探し、そこに到着パケットのＭＡＣアドレスを記憶し、そのアドレス（例えば４）を前記インデックスエリア８３１に記憶する。
【０００５】
次に、到着パケットのデスティネーションＭＡＣアドレスがテーブルにあるか確認する方法を説明する。
【０００６】
到着したパケットのＭＡＣアドレスの下位１６ビットの示すアドレス（例えば８０３）で、第１のテーブルのＭＡＣアドレステーブルが指定されるＭＡＣアドレスデータエリアＭＡ（４８ビット）８０１（例えば８０５）に記憶されているＭＡＣアドレスが到着パケットのＭＡＣアドレスと一致しない場合には、そのインデックスエリアＩＡ８０８に記憶されている第２テーブルのアドレス（例えば２）を検索し、そこに記憶されているＭＡＣアドレスが到着パケットのＭＡＣアドレスに一致しない場合には、そのインデックスエリアＩＡ８３０に記憶されている第２テーブルのアドレス（例えば３）を検索し、そこに記憶されているＭＡＣアドレスが到着パケットのＭＡＣアドレスに一致しない場合には、そのインデックスエリアＩＡ８３１に記憶に記憶されている第２テーブルのアドレス（例えば４）を検索し、そこに記憶されているＭＡＣアドレスが到着パケットのＭＡＣアドレスに一致する場合には、到着したパケットのデスティネーションＭＡＣアドレスが記憶されていると判断する。
【０００７】
また、ＭＡＣスイッチの構成としては、特開２００２−３３４１１４「テーブル管理方法及び装置」がある。この従来例を図２０により説明する。図２０において、９００は受信ＭＡＣアドレス、９０１はＣＲＣ等のハッシュ関数、９０２はハッシュ値であるエントリテーブル９０３のアドレス指定ビット（１０ビット）、エントリテーブル９０３は、受信ＭＡＣアドレスをそのハッシュ値アドレスに収容するテーブルであり、この例では、Ｂ１，Ｂ２，Ｂ３，Ｂ４の４つのテーブルがあり、各エントリ９０３は、ＭＡＣアドレス８ビット、ポート番号等が格納さる。９０４は、アドレスビット９０２により読み出された登録ＭＡＣアドレス８ビット、９０５、９０６，９０７，９０８は、Ｂ１，Ｂ２，Ｂ３，Ｂ４の各エントリテーブルからアドレス９０２により読み出されたＭＡＣアドレス８ビットと受信ＭＡＣアドレス８ビット（９０９）の比較器であり、９１０は、各比較器出力のＯＲ回路であり、９１１はその出力の一致検出信号である。
【０００８】
以下に動作を説明する。受信ソースＭＡＣアドレス９００のハッシュ値のアドレスビット９０２で指定された４つのエントリテーブルのアドレス位置の格納エントリにあるＭＡＣアドレスの内に受信ＭＡＣアドレスと一致するものが無く、格納されていないエントリエリアがあれば、その位置に受信ソースＭＡＣアドレス８ビットとそのポート番号を書き込み、指定されたエントリテーブルのアドレス位置に格納されているどれかのＭＡＣアドレスが受信ＭＡＣアドレスと一致する場合には、そのままとし、一致するものが無く、エントリテーブルに空きが無い場合には、再ハッシュが発生し、格納エントリＭＡＣアドレスを受信ＭＡＣアドレスに変更する。
【０００９】
さらに、そのパケットのデスティネーションＭＡＣアドレスのハッシュ値のアドレスビット９０２で指定されたエントリテーブルのアドレス位置にＭＡＣアドレスが格納されていなければ、そのパケットはｕｎｋｎｏｗｎパケットとして、フラッディングする。一方、格納されていれば、その４つのＭＡＣアドレスと受信デスティネーションＭＡＣアドレスを比較し、一致するものがある場合には、そのアドレス位置に共に格納されているポート番号にそのパケットを送出し、一致しなければ、ｕｎｋｎｏｗｎパケットとして、フラッディングする。
【００１０】
次に、従来のリング技術について述べる。従来のリング技術として、従来のＬ２ＳＷ等のＭＡＣスイッチを用いたＥＡＳＰ，  ＭＲＰ，  ＭＭＲＰ２等のリングが提案されているが、これらはすべて、ループができないように、リングフローを切るポイントがリング上に存在していた。
【００１１】
これに対して、リング上のパケット転送を、パケットに、リングへのパケットのＡＤＤノードのＭＡＣアドレスと、リングからＤＲＯＰするノードのＭＡＣアドレスを端末ＭＡＣヘッダに付けることにより、カプセル化するとともに、リング上を周回するパケットが送信元のＡＤＤリングノードに戻った場合には、そのパケットを廃棄する機能を持つことにより初めて、ＭＡＣリング転送を実現したＲＰＲが提案され、標準化されている。
【００１２】
そのリング網は、ＩＥＥＥ８０２．１７  ＲＰＲ（Ｒｅｓｉｌｉｅｎｔ  Ｐａｃｋｅｔ  Ｒｉｎｇ）である。この従来技術の実施例として、特許文献１特開２００９−７７２８５号公報（パケットリングネットワークシステム、およびフォワーディングデータベース管理方法）等がある。これらのＲＰＲは、従来問題になっていたループによる輻輳ストームを解決した。
【００１３】
リングに適用する従来のＭＡＣ形動作をするノード装置として図２１に示す従来のＭＡＣＳＷがある。図２１において、符号３０５，３０６はノード装置、符号３００、３０１はそこで使われる各ポートに入力するパケットのソースアドレスとその入力ポートとを記録したＭＡＣアドレステーブル、符号３０２は右回りリング伝送路、符号３０３は左回りリング伝送路、符号３０４は入力パケットのヘッダ読み取り回路、符号３０７，３０８は、ＡＤＤ伝送路のポート、３０９，３１０はリング伝送路のポートである。
【００１４】
各ヘッダ読み取り回路およびリング伝送路へのパケット合流点に必要なバッファは図では省略されている。各ポートに入力するパケットのデスティネーションアドレスがＭＡＣアドレステーブル３００，３０１にあれば、そのアドレスとともに書かれているポートに出力し、なければｕｎｋｎｏｗｎパケットとして、コピーしてすべてのポートに出力する。図中、ＭＡＣＣＤ，ＭＡＣＢＡ，ＭＡＣＡＢ，ＭＡＣＤＣの表示のＭＡＣの後の英文字ＣＤ，ＢＡ等は、デスティネーションアドレスが、Ｃ，Ｂであり、ソースアドレスがＤ，Ａであることを示す。
【００１５】
右側のノードのポート２（３０８）に到着したパケットＭＡＣＢＡは、ＭＡＣアドレステーブル３０１のデスティネーションアドレスＭＡＣＢの出力先ポートであるポート４（３１０）に繋がる左回りリング伝送路３０３に（１）ＭＡＣＢＡとして、送出され、左側のノードのＭＡＣアドレステーブル３００にあるデスティネーションアドレスＭＡＣＢの出力先ポートであるポート２（３０８）に（２）ＭＡＣＢＡとしてドロップされる。
【００１６】
一方、その対向フローである左側のノードのポート２（３０８）に到着したパケットＭＡＣＡＢは、ＭＡＣアドレステーブル１１（３００）のデスティネーションアドレスＭＡＣＡの出力先ポートであるポート３（３０９）に繋がる右回りリング伝送路３０２に（３）ＭＡＣＡＢとして、送出され、右側のノードのＭＡＣアドレステーブル３０１にあるデスティネーションアドレスＭＡＣＡの出力先ポートであるポート２（３０８）に（４）ＭＡＣＡＢとしてドロップされる。（５）、（６）ＭＡＣＣＤ，および（７）、（８）ＭＡＣＤＣの動作も同様である。
【００１７】
次に、従来技術のＲＰＲのリング動作を図２２に示す。図２２は０系リング伝送路３２１と１系リング伝送路３２０上にノードＡ（３２２），Ｂ（３２３），Ｃ（３２４），Ｄ（３２５）の４つのリングノードを持ち、各リングノードは、そのリングノード識別番号として、それぞれ、ＭＡＣソースアドレスであるＭＡＣＡ，ＭＡＣＢ，ＭＡＣＣ，ＭＡＣＤを持ち、ノードＡには、端末Ｈ（３３０），ノードＢには端末Ｆ（３３１），ノードＣには、端末Ｇ（３３２）が接続されている。端末Ｈ（３３０）のＭＡＣソースアドレスはＭＡＣＨであり、ＩＰソースアドレスはＩＰＨであり，端末ＦのＭＡＣソースアドレスはＭＡＣＦであり、ＩＰソースアドレスはＩＰＦであり，端末ＧのＭＡＣソースアドレスはＭＡＣＣであり、ＩＰソースアドレスはＩＰＣである。
【００１８】
このリング上でのパケット伝送は、端末から到着したパケットに、リング上でそのパケットを転送するために必要なノードＭＡＣソースアドレスとノードＭＡＣデスティネーションアドレスを持つＭＡＣヘッダを付け加えて、行われる。そのための端末ＭＡＣヘッダにノード間転送用のノードＭＡＣヘッダを付けるために必要なヘッダ変換テーブルを各ノードのリングに上がる入り口で持っている。
【００１９】
その変換テーブルは、各端末からノードに最初に到着した時に学習して持つ必要がある。これは端末から到着するＡＲＰパケットにより行われるもので、この従来例の図はその動作を示したものである。以下にその動作を示す。
【００２０】
端末Ｈ（３３０）から、端末Ｆ（３３１）宛ての端末ＦへのＩＰデスティネーションアドレスであるＩＰＦを持ち、ＭＡＣデスティネーションアドレスがオール１であり、端末ＨのＭＡＣソースアドレスであるＭＡＣＨとＩＰソースアドレスであるＩＰＨを持つ、ＡＲＰパケット（１）ＡＲＰ，ＭＡＣ，ａｌｌ１，Ｈ，ＩＰＦ，Ｈが、リングノードＡ（３２２）に到着した場合、ノードＡ（２２）は、そのパケットの宛先が分からないため、そのＭＡＣパケットに、ブロードキャストパケット表示であるオール１のＭＡＣデスティネーションアドレスとノードＡのＭＡＣソースアドレスであるＭＡＣＡのＭＡＣヘッダを付けたパケット、（２）Ｂｒｏａｄｃａｓｔ，ＭＡＣ，ａｌｌ１，Ａ，ＭＡＣ，ａｌｌ１，Ｈ，ＩＰＦ，Ｈを、両系リングまたは片系リングに送出する。
【００２１】
そのパケットは、各ノードＢ（３２３），ノードＣ（３２４），ノードＤ（３２５）でコピーされてドロップされる。各ノードでドロップされたそのパケットは、そのノードの出口に、そのパケットの外側ＭＡＣソースアドレスであるＭＡＣＡと端末ＭＡＣソースアドレスであるＭＡＣＨのヘッダ変換表を作成してから、外側のＭＡＣヘッダが取り除かれて、（３）ＡＲＰ，  ＭＡＣ，ａｌｌ１，Ｈ，ＩＰＦ，Ｈとして、下位ドロップ伝送路に送出される。そのパケットは、そのパケットの宛先ＩＰアドレスであるＩＰＦが端末のＩＰソースアドレスと一致する端末Ｆ（３３１）だけが、そのパケットを取り込み、ＡＲＰ応答パケット、（４）ＡＲＰ応答，ＭＡＣ，Ｈ，Ｆ，ＩＰＨ，ＦをノードＢに送出する。
【００２２】
ノードＢ（３２３）はその端末パケットのＭＡＣデスティネーションアドレスから、宛先リングノードＭＡＣアドレスをヘッダ変換表から検索するともに、その端末Ｈ，端末Ｆ，ノードＡの関係を記したその端末間接続に関するヘッダ変換表を完成させ、その端末パケットに、リングノード間転送用のＭＡＣヘッダ、ＭＡＣ，Ａ，Ｂを付け、（５）ＭＡＣ，Ａ，Ｂ，ＭＡＣ，Ｈ，Ｆ，ＩＰＨ，Ｆ、として１系リング（３２０）に送出する。その際、ノードＢ（３２３）は、宛先であるノードＡ（３２２）への最短経路を前もって知っているため、そのパケットを１系リングに送出する。その１系リングに上がったパケットは、そのパケットの宛先であるノードＡ（３２２）でドロップされ、そのドロップ点出口で、そのパケットから、端末Ｈ，端末Ｆ，ノードＢの関係を記したその端末間接続に関するヘッダ変換表を完成させてから、外側のＭＡＣヘッダが除去されて、端末Ｈに、（６）ＡＲＰ応答，ＭＡＣ，Ｈ，Ｆ，ＩＰＦＨ，Ｆとして、送出される。以後、端末Ｈと端末Ｆ間のこのリングを介してのパケット転送は、ノードＡとノードＢに作成した前記ヘッダ変換テーブルを用いて、行われる。
【００２３】
図２３は、従来技術であるＲＰＲにおける、各ノードのＭＡＣ変換テーブルが完成後の、その場合のユニキャストパケットの転送動作を示したものである。この図では、ノードＡ（３２２）に端末Ｅ（３３３）と端末Ｈ（３３０）が接続され、ノードＢ（３２３）に端末Ｆ（３３１）が接続され、ノードＣ（３２４）に端末Ｇ（３３２）が接続され、端末Ｈと端末Ｆ間、端末Ｅと端末Ｇ間でパケット転送が行われている様子を示している。
【００２４】
図２３では、各リング上に端末間でリングノードを介して転送されるパケットのＭＡＣヘッダが記されている。各端末は、ノードＡ，ノードＢ，ノードＣのヘッダ変換テーブルに示した、送信元端末ＭＡＣアドレス、送信先端末ＭＡＣアドレス、送信元ノードＭＡＣアドレス、送信先ノードＭＡＣアドレスの関係表を用いて、各ノードのリングに上がる際、ヘッダ変換を行って、パケット転送する。
【００２５】
次に、従来例のＭＡＣ動作するリングのノード装置を図２４に示す。図２４は、特願２０１２−２０６０１１（パケット転送法およびノード装置）に開示されているもので、パスまたは１フロー用のパケット伝送に用いられる例で、現用、予備のドロップアドレステーブルを持つ例である。図２４において、６０９は現用ドロップアドレステーブル、６１０は予備ドロップアドレステーブルであり、６００は、０系リング伝送路、６０１は１系リング伝送路、６０２はＡＤＤ伝送路、６０３はＤＲＯＰ伝送路、６０４はＭＡＣＢＡ（Ｂは宛先ＭＡＣアドレス、Ａは送信元ＭＡＣアドレス）、６０５はＭＡＣＡＢ，６０６は、０系伝送路のパケットのヘッダ読み取り回路（ＢＵＦ付）、６０７は、１系伝送路のパケットのヘッダ読み取り回路（ＢＵＦ付）、６０８は、パケット振り分け回路（ＢＵＦ付）である。以下に、動作を示す。ＡＤＤ伝送路６０２からノードに入力したパケットＭＡＣＢＡ６０４は、パケット振り分け回路６０８で、そのパケットのソースアドレスが読み取られ、そのアドレスが現用のドロップアドレステーブル６０９に無ければ、そのテーブルにそのソースアドレスを書き込み、ある場合は、そのまま、そのパケットのソースアドレスＡの最下位ビット（この例では０）の示す０系リング伝送路６００に送出される。一方、リング上からこのノードに到着するパケットは、ヘッダ読み取り回路６０６または６０７で、そのパケットのデスティネーションアドレスが読み取られ、そのアドレスが最初に現用側のドロップアドレステーブル６０９に有るか検索し、有れば、そのパケットをドロップし、無ければ、予備のドロップアドレステーブル６１０を検索し、有れば、ドロップし、無ければ、そのパケットはそのまま、その出力リング伝送路にスルーして、送出される。
【００２６】
この例では、１系リング伝送路６０１から、ＭＡＣＡＢ６０５がノードに到着する例で、そのデスティネーションアドレスＡが現用ドロップアドレステーブル６０９にあるので、そのパケットは、ＤＲＯＰ伝送路６０３に送出される。このような動作で、予備のドロップアドレステーブル６１０が一定時間以上、検索において、ヒットすることが無い場合には、予備ドロップアドレステーブル６１０内のソースアドレスが古くなったものと判断し、そのテーブル内の全メモリをクリアするとともに、予備ドロップアドレステーブル６１０を現用ドロップアドレステーブルとし、これまで現用であったドロップアドレステーブル６０９を予備ドロップアドレステーブルに変更する。この例ではＭＡＣテーブルには、ドロップアドレスしかなく、動作が簡単化されている。
【００２７】
次に、従来の多段ツリー状リング網の一筆書き動作例を図２５に示す。この例は、特願２０１２−２０６０１１（パケット転送法およびノード装置）に開示されているもので、パスまたは１フローＭＡＣパケットを転送する小規模網の一筆書き多段リング・ツリー網の例である。この網には、エッジノードから最上位リングエッジまで、片経路設定パケットにより片経路が設定されている状態で、端末がエッジノードに接続する手順を示している。図２５において、右側の最下位リングに収容されたエッジノードは、ＭＡＣアドレスＭＡＣＳＢ（ＳＢのＳはソースアドレスであることを示し、Ｂはそのソースアドレスである）を持ち、（１）’ＭＡＣ○Ｂ０（片経路設定パケット）（○はＭＡＣデスティネーションアドレスがオール０であることを示す）を送出し、最下位リングの入り口にあるドロップアドレステーブルに、ソースアドレスＢを残す。このソースアドレスは、０系リング、１系リング対応にある２つのドロップアドレステーブルに設定される。このパケットのＭＡＣソースアドレスの最下位ビットは０なので、０系リングに上がり、そのリング上に１周しても宛先がないので、（２）’ＭＡＣ○Ｂ０（片経路設定パケット）に、元のリングに上がったノードで多周回ビットが付与される。そのパケットである（３）’ＭＡＣ○Ｂ０多周回ビット付きは、上位リングに上がるノードで、多周回ビットが付いていることで、判断されて、（３）’ＭＡＣ○Ｂ０の多周回ビット除去後ドロップして、上位リングに上がる。上位リングでも、最下位リングと同様に動作して、図に示すように、最上位リングに上がる出口ノードで、（６）’ＭＡＣ○Ｂ０の多周回ビットを除去してドロップして、図の（７）’ＭＡＣ○Ｂ０に示すように、最上位リングに上がり、そのリング入り口にあるドロップアドレステーブルに、ソースアドレスを書き込んだ後、そのパケットは廃棄される。
【００２８】
一方、ＭＡＣソースアドレスＣを持つ端末ＭＡＣＳＣは、エッジノードＢ宛ての、（１）ＭＡＣＢＣ０発呼パケットを最下位リングに送出し、そのリングのドロップアドレステーブルにソースアドレスＣを残して、そのパケットのソースアドレスの最下位ビットの示す０系リングに上がる。この場合も、このパケットの宛先はリング上に無いので、１周して、元のＡＤＤノードに戻ったノードで多周回ビットが付与され、そのパケットは上位リングに上がるノードでドロップして、上位リングに上がる。これらの動作は、図中、（１）から（１０）に記されており、上記、エッジノードからのパケットと同様に動作するので、説明を省略する。（１０）において、上記説明した、エッジノードからの片経路設定パケットにより設定された経路に接続されるので、それ以後は、その経路により、エッジノードまで、到達し、エッジノードのサービスまたは、さらに、エッジノード配下の端末に接続されて、以後パケット転送が行われる。
【００２９】
また、従来のアドレスを分割して転送する網としては、ＡＴＭにおけるＶＣＩによるセル転送網とＶＰＩによるセル転送網がある。ＶＣ網とＶＰ網は明確に階層分けされている。アドレスを分割して転送する従来技術であるＡＴＭは、ＶＰ網のあるクロスコネクト間は事前にＶＰ設定されているが、多くはシグナリングでクロスコネクトの出口を選択設定する網で、ＶＣ網は呼毎に、シグナリングでルートが設定される網である。発信側のＶＣ網とＶＰ網の接続点にあるＡＴＭ加入者交換機では、発信加入者からの到着セルに相手ＡＴＭ加入者交換機に接続するＶＰＩを付けてＶＰ網に転送し、相手ＡＴＭ加入者交換機において、発信側のＶＣＩと転送されてくるＶＰＩから相手接続先ＶＣＩを求めて、ヘッダ変換し、相手加入者と接続する。ＡＴＭ網では、上り下りが同じ、ＶＣＩ、ＶＰＩを用いる。
【００３０】
また、他の従来例としては、パケットのＩＰｖ４のＩＰアドレスで転送される網において、上位ＩＰアドレスで転送される網と下位ＩＰアドレスで転送される網がある。上位ＩＰアドレスは外国接続用等、下位アドレス網と明確に分離されるが、下位アドレスは、使用地域、および、アドレス使用階層の境界が明確に分離されていない。
【００３１】
一方、転送に送信元アドレスを用いない例としては、ＡＴＭ網がある。そのため、シグナリングを必要とした。また、ＩＰルータも転送には、送信先アドレスしか用いないが、途中ルータにおける送信元への障害通知およびサーバ等で応答用アドレスが必要なため、パケットの送信元識別のため、転送されるパケットは、送信元アドレスも使用している。
【先行技術文献】
【特許文献】
【００３２】
【特許文献１】特開２０００−１５１６１７  号公報
【特許文献２】特開２００２−３３４１１４  号公報
【特許文献３】特願２０１２−２０６０１１  号公報
【非特許文献】
【００３３】
【非特許文献１】ＩＥＥＥ８０２．１７  ＲＰＲ（Ｒｅｓｉｌｉｅｎｔ  Ｐａｃｋｅｔ  Ｒｉｎｇ）
【発明の概要】
【発明が解決しようとする課題】
【００３４】
従来のＭＡＣスイッチ構成としての従来例特開２０００−１５１６１７は到着したパケットのＭＡＣアドレスを到着した順にテーブルに記憶する方法に比べて、記憶動作が簡単化されているが、それは到着したパケットの下位ＭＡＣアドレス１６ビットの示す第１テーブルのＭＡＣアドレスデータ記憶エリアにまだ全ＭＡＣアドレスビットが記憶されていない場合であり、既に違う全ＭＡＣアドレスビットビットが記憶されている場合には、そのアドレスのインデックスエリアに記憶先が記憶されている第２テーブルのアドレス位置を検索し、そこに到着したパケットの全ＭＡＣアドレスビットが記憶されていなければ、そのアドレスに到着パケットのＭＡＣアドレスを記憶する。もし、そこに既に違う全ＭＡＣアドレスビットが記憶されている場合には、空きエリアを探してそこに、全ＭＡＣアドレスビットを記憶し、そのアドレスを前のインデックスエリアに記憶する。
【００３５】
このように、次々と記憶エリアをたどらなければ、記憶も、記憶読み出しもできないため、到着パケットのＭＡＣアドレス処理に時間がかかる問題がある。そのため、そのため、パケット処理数の多い高速なＭＡＣスイッチおよび記憶するＭＡＣアドレス数の多いＭＡＣスイッチには使えない問題がある。
【００３６】
また、従来のＭＡＣスイッチ構成としての従来例特開２００２−３３４１１４は、ハッシュ関数によりハッシュ計算する方法は、その計算により高速化に限界があるものの、ＭＡＣアドレスの検索がある程度高速になるが、受信ＭＡＣアドレスのハッシュ値であるアドレスビットの示すアドレスの格納されているＭＡＣアドレスと受信ソースＭＡＣアドレスが一致しない場合には、エントリテーブルのＭＡＣアドレスを変更する必要があり、誤動作の可能性が出る。また、受信したデスティネーションアドレスのＭＡＣアドレスのハッシュ値が指定したエントリテーブルのＭＡＣアドレスと受信デスティネーションアドレスのＭＡＣアドレスが一致しない場合には、フラッディングが必要となり、網が輻輳する原因となる問題がある。
【００３７】
またアドレスビットを１８ビットにして、エントリテーブルを拡張することも可能であるが、その場合においても、エントリテーブルの格納データ領域が大きいため、エントリテーブルの持つアドレス空間を大きくできない問題がある。このため、従来のＭＡＣエントリ数は１６０００程度に限られ、ＬＡＮ，ＭＡＮへの適用はあるが、上位網には適用できない問題があった。
【００３８】
また、リングに適用する従来のＭＡＣ形動作をするノード装置として図１２に示すＭＡＣスイッチのＭＡＣアドレステーブルは、ノードの全ポートのＭＡＣソースアドレスを学習しなければならず、動作が複雑になるため、高速動作ができない問題があった。
【００３９】
また、従来のリング技術としてのＩＥＥＥ８０２．１７  ＲＰＲ（Ｒｅｓｉｌｉｅｎｔ  Ｐａｃｋｅｔ  Ｒｉｎｇ）図２２、図２３は特殊のＲＰＲヘッダを用い、ＲＰＲヘッダにはＤＲＯＰノード番号が必要であり、その学習に時間がかかる。また、その変換テーブルＦＤＢ（Ｆｏｒｗａｒｄｉｎｇ  Ｄａｔａｂａｓｅ）を作成後も端末から受信したパケットはこのテーブルを見て、ＤＲＯＰ先ノードのＭＡＣアドレスを持つヘッダを付ける必要があり、変換に時間がかかる。
【００４０】
ＲＰＲは制御パケットをリングノード間で転送することにより、各ノードはリング上の他のノードの位置情報を持っており、ＤＲＯＰノードまでの最短経路が分かる。しかし、他リングと接続するためには、他リングＩＤをパケットに設定する必要があり、その学習に時間がかかる。それゆえにＲＰＲは基本的に単一２重リング以外への適用が難しいので、ＭＡＮ，ＬＡＮへの適用例はあるが、大規模網への適用例はない。
【００４１】
また、ＲＰＲはカプセル化したことで、リング上では、高速転送可能となったが、他リングに接続するためには、他リング入り口ノードで再度リングドロップノードを学習する必要があり、本質的に問題がある。
【００４２】
また、ＲＰＲはカプセル化しているため、パス接続のリングでもあるが、リング外から入力するパス構成のパケットはリング内ではさらにリングヘッダでカプセル化しなければリング上を転送できない問題があった。
【００４３】
また、リングの従来技術である特願２０１２−２０６０１１の図２４、図２５に示した従来のＭＡＣ動作リングは、ノード装置が簡単化され、高速動作が可能であるが、ＭＡＣアドレス４８ビットを収容するには、ＲＡＭ，ＳＲＡＭ，ＣＡＭのようなメモリは使用できないため、コストが高くなる欠点があった。そのため、ＭＡＣアドレステーブルを使用するしかなく、そのため、多数のＭＡＣアドレスを収容できない問題があった。ただ、この網にドロップＭＡＣアドレスメモリを利用できれば、そのデータはリングからのドロップ有無の１ビットだけなので、アドレス空間を広げられる特徴がある。
【００４４】
また、従来のＡＴＭ網は、使用するＶＣＩ，ＶＰＩのアドレスビット長が短いため、ＡＴＭ加入者交換機を除く、ＶＣＳＷおよびＶＰＳＷのテーブルはＲＡＭ，ＳＲＡＭ等が利用できる利点がある。しかし、従来のＡＴＭ網は、２つの階層分けが明確になされているため、下位網では、地域毎に分離して、地域毎に独立して、ＶＣＩを使用可能であるが、ＶＰ網は、ＡＴＭ加入者交換機間を接続するには、途中のＶＰクロスコネクトでＶＰＩ変換をしなければならず、さらに、ＭＡＣアドレスと異なり、双方向同じＶＰＩを用いる必要があるため、ルート設定の制約があり、大きな網はできない問題があった。また、シグナリングでしか、経路設定できない問題があった。
【００４５】
それは、ＶＰ網が、地域毎に分離されていないため、経路設定が複雑になっていた。また、そのため、経路の自動設定ができない問題があった。なお、従来のＡＴＭ網は、ＡＴＭ加入者交換機が、発呼加入者および接続先加入者の識別を行うため、セキュリティが高いが、セル化、デセル化のハード量および上記述べたように、シグナリングおよびヘッダ変換処理が重く、コストがかかる問題があった。
【００４６】
一方、従来のＩＰ網は、下位網では、地域が明確に分離されていないため、ルータはＩＰアドレスの全ビットを見なければならず、そのため、ＩＰテーブルが大きくなる問題があった。また、ＩＰ網は、隣接ルータ間で、ＩＰテーブル情報を交換しなければならず、経路の自動設定ができない問題があった。また、ＩＰテーブルの検索には、ハッシュ技術が用いられているが、ＭＡＣアドレスのハッシュ計算同様に、計算時間がかかること、エントリテーブルには、宛先ＭＡＣアドレス、出力ポート番号が必要であるため、データビット数が大きくなり、使用できるメモリのアドレス空間に限界がある問題とコストがかかる問題があった。
【課題を解決するための手段】
【００４７】
本発明は、上記従来技術の問題点を鑑みて成されたもので、その目的とする所は、リング上のパケットまたはセルまたはセルヘッダ付きパケット転送で使用する網の持つドロップアドレスまたはドロップアドレステーブルのアドレス長を短くできる分割アドレス転送が可能な網を提案したものである。
【００４８】
本発明（１）によれば、セルまたはパケットまたはセルヘッダ付きパケットを転送する網において、その網は、階層内の集点または階梯内の集点を持つ網であり、宛先に向かうセルまたはパケットまたはセルヘッダ付きパケットは、上り方向では、階層内にセルまたはパケットまたはセルヘッダ付きパケットの接続先下り経路がある階層の下の階層では、その階層でのみ有効使用可能な分割宛先アドレスおよびその階層でのみ有効使用可能な送信元アドレスは持たないか、またはその階層でのみ有効使用可能な宛先アドレスは持たず、その階層でのみ有効使用可能な送信元アドレスは持つか、あるいはその階層でのみ有効使用可能な送信元アドレスは持っても使用しない構成で、かつスルービットで通過し、さらに、階梯内は階梯内の集点に向かうスルービットで通過し、一方、頂上階梯内の平行方向および下り方向および下り方向の途中の階梯内の平行方向では、階層内の集点または階梯内の集点から分散するための階層内の集点または階梯内の集点から分散するための複数階層の階層毎の宛先分割アドレスのみを持つ網のドロップアドレスメモリまたはドロップアドレステーブルにより転送されることを特徴とするセルまたはパケットまたはセルヘッダ付きパケットを転送する網を提供する。
【００４９】
好ましくは、本発明（２）においては、上記本発明（１）において、集点を持つ網は、複数ノードまたは複数ノードを持つ複数リング網または複数ノードをメッシュ状に接続したメッシュ網または複数ノードを持つ複数リング網をメッシュ伝送路で接続した網または複数ノードを持つリング網を串刺し状に接続した網または複数ノードを持つリング網を串刺し状に始点リングと終点リングが接続した網を一つの階梯として、複数階梯間をツリー状に接続した構造の複合網であることを特徴とするセルまたはパケットまたはセルヘッダ付きパケットを転送する網を提供する。
【００５０】
好ましくは、本発明（３）においては、上記本発明（２）において、階層構造の階層毎に、独立した分割アドレスを持ち、かつ各階層内の地域毎に独立した分割アドレスを持ち、その分割アドレスで、その各階層の各地域内をセルまたはパケットまたはセルヘッダ付きパケットを転送することを特徴とするセルまたはパケットまたはセルヘッダ付きパケットを転送する網を提供する。
【００５１】
好ましくは、本発明（４）においては、上記本発明（３）において、各階層の各地域内で使用する分割アドレスは、最下位階層を除く、その各階層の各地域内の特定ノードのアドレスであることを特徴とする。
【００５２】
好ましくは、本発明（５）においては、上記本発明（２，３，４）において、複合網が複数のリング網からなる網の構成は、セルまたはパケットまたはセルヘッダ付きパケットを転送するリング網をツリー状に接続した、多段リング・ツリー網または、セルまたはパケットまたはセルヘッダ付きパケットを転送する複数のリング網間をメッシュ状に接続したメッシュ網リング網の各リングの下に、セルまたはパケットまたはセルヘッダ付きパケットを転送するリング網をツリー状に接続した、多段リング・ツリー網の最上位リングを接続した複合リング網または、セルまたはパケットまたはセルヘッダ付きパケットを転送するリング網を串刺し状に多数接続したリング網の下に、セルまたはパケットまたはセルヘッダ付きパケットを転送するリング網をツリー状に接続した、多段リング・ツリー網の最上位リングを接続した複合リング網または、セルまたはパケットまたはセルヘッダ付きパケットを転送するリング網を平面状に多数接続した固定経路が前もって、設定されているメッシュ状リング網の複数の各リングの下に、セルまたはパケットまたはセルヘッダ付きパケットを転送するリング網をツリー状に接続した、多段リング・ツリー網の最上位リングを接続した複合リング網、または、セルまたはパケットまたはセルヘッダ付きパケットを転送するリング網を串刺し状に多数接続したリング網の始点リング網と終点リング網を接続したループ状構成の串さしリング網下に、セルまたはパケットまたはセルヘッダ付きパケットを転送するリング網をツリー状に接続した、多段リング・ツリー網の最上位リングを接続した複合リング網、または、
セルまたはパケットまたはセルヘッダ付きパケットを転送する複数のリング網間をメッシュ状に接続したメッシュ網リング網、または、セルまたはパケットまたはセルヘッダ付きパケットを転送するリング網をツリー状に接続した、多段リング・ツリー網、または、セルまたはパケットまたはセルヘッダ付きパケットを転送するリング網を串刺し状に多数接続したリング網の始点リング網と終点リング網を接続したループ状構成の串さしリング網、または、セルまたはパケットまたはセルヘッダ付きパケットを転送するリング網を平面状に多数接続した固定経路が前もって、設定されているメッシュ状リング網、または、セルまたはパケットまたはセルヘッダ付きパケットを転送するリング網を串刺し状に多数接続したリング網のいずれかの網の下に、セルまたはパケットまたはセルヘッダ付きパケットを転送する複数のリング網間をメッシュ状に接続したメッシュ網リング網、または、セルまたはパケットまたはセルヘッダ付きパケットを転送するリング網を串刺し状に多数接続したリング網の始点リング網と終点リング網を接続したループ状構成の串さしリング網、または、セルまたはパケットまたはセルヘッダ付きパケットを転送するリング網を平面状に多数接続した固定経路が前もって、設定されているメッシュ状リング網、または、セルまたはパケットまたはセルヘッダ付きパケットを転送するリング網を串刺し状に多数接続したリング網のいずれかの網を置き、上記下位網のリングにそれより下から上がったセルまたはパケットまたはセルヘッダ付きパケットをそのリングから、上記下位網の他のリングをスルーすることなく、上位網のいずれかのリングに直接接続する構成で、かつ、上記下位網の各リングの下には、単一リングまたは、セルまたはパケットまたはセルヘッダ付きパケットを転送するリング網をツリー状に接続した、多段リング・ツリー網の最上位リングを接続した構成の複合網であることを特徴とする。
【００５３】
好ましくは、本発明（６）においては、上記本発明（５）において、この網に既存インターネット端末、サーバを収容するように構成した場合には、既存ＩＰ端末または既存ＩＰサーバは、それらの持つ既存ＩＰアドレスで、他の既存ＩＰ端末または既存ＩＰサーバと従来通りの接続関係を維持できることを特徴とする。
【００５４】
好ましくは、本発明（７）においては、上記本発明（２，３，４）において、この網で使用される網構成の網が、複数階層を持つ網の一つの階梯網で、ノードをメッシュ状に接続した網である場合の、経路設定は、前もって手動で設定するか、その網が、その網の属する階層の最下位網である場合には、下位網との接続ノードの持つアドレスを持つ経路設定セルまたは経路設定パケットをその地域網内の全ノードまたはその階梯内の全ノードにフラッディングで配布し、フラッディング先のノードの入口のポートにあるメモリに前記アドレスを登録する際に、そのノードの他のポートのメモリまたは自ポートのメモリにそのアドレスが記録されていない場合にのみ、記録するか、または、フラッディング先の入力ポート番号とアドレスを記録するそのノード対応のドロップアドレスメモリまたはドロップアドレステーブルに前記アドレスが記録されていない場合に、入力ポート番号と前記アドレスを記録し、それとともに、フラッディングを継続し、既に記録されている場合には、そのセルまたはパケットを廃棄する構成であり、
かつ、その網の集点ノードのフラッディングは、上位網の入口ノードのドロップアドレスメモリまたはドロップアドレステーブルに前記経路設定セルまたは経路設定パケットのアドレスを記録後、そのセルまたはパケットは廃棄する構成であり、一方、その網が、その網の属する階層の最下位網でない場合には、下位網との接続ノードのドロップアドレスメモリまたはドロップアドレステーブルに記録されたアドレスを持つ経路設定セルまたは経路設定パケットをその地域網内の全ノードまたはその階梯内の全ノードにフラッディングで配布し、フラッディング先のノードの入口のポートにあるメモリに前記アドレスを登録する際に、そのノードの他のポートのメモリまたは自ポートのメモリにそのアドレスが記録されていない場合にのみ、記録するか、または、フラッディング先の入力ポート番号とアドレスを記録するそのノード対応のドロップアドレスメモリまたはドロップアドレステーブルに前記アドレスが記録されていない場合に、入力ポート番号と前記アドレスを記録し、それとともに、フラッディングを継続し、既に記録されている場合には、そのセルまたはパケットを廃棄する構成であり、かつ、その網の集点ノードのフラッディングは、その網がその網の属する階層の最上位網でない場合のみ行い、その方法は、上位網の入口ノードのドロップアドレスメモリまたはドロップアドレステーブルに前記経路設定セルまたは経路設定パケットのアドレスを記録後、そのセルまたはパケットは廃棄する構成であることを特徴とする。
【００５５】
好ましくは、本発明（８）においては、上記本発明（７）において、最下位階梯の経路設定パケットはＡＲＰパケットであり、その最下位階梯の端末が接続されたノードは、受信したＡＲＰパケットを経路設定パケットとして、その階梯内をフラッディングさせ、その階梯の集点ノードから上位網へのフラッディングは、上位網入口のドロップアドレスメモリへのアドレス書き込み後、ＡＲＰパケットを廃棄するのではなく、引き続きその上位網階梯でもＡＲＰパケットでフラッディングし、集点ノードの無い最上位階梯に到達した場合には、その階梯の入口ノードのドロップアドレスメモリにそのアドレスを書き込んだ後、そのパケットは廃棄する構成であり、端末はＡＲＰパケットを送出した後、ＡＲＰ応答パケットを受信しなくても、通信開始パケットを送出し、その階梯に宛先が無い場合には、その階梯の集点ノードまでスルーでパケット転送し、そのノードで上位階梯に上がり、その階梯でも宛先が無い場合には、その階梯の集点ノードまでスルーでパケット転送し、そのノードで上位階梯に上がることを繰り返し、宛先アドレスのある階梯でドロップして、宛先端末に接続することを特徴とするパケットを転送する網を提供する。
【００５６】
好ましくは、本発明（９）においては、上記本発明（８）において、下り方向では、ＭＡＣパケットは送信元アドレスを残さないことを特徴とする。
【００５７】
好ましくは、本発明（１０）においては、上記本発明（１から６）において、ノードは順方向伝送路を流れる単位時間内のセル数または単位時間内のパケットのパケット長を書いたビット列の上位ビットを読み取った合計値から、伝送路レートを求め、輻輳予測を判断し、セルヘッダまたはパケットヘッダに輻輳ビット表示することを特徴とする。
【００５８】
好ましくは、本発明（１１）においては、上記本発明（７，８、９）において、ノードは順方向伝送路を流れる単位時間内のパケットのパケット長を書いたビット列の上位ビットを読み取った合計値から、伝送路レートを求め、輻輳予測を判断し、パケットヘッダに輻輳ビット表示することを特徴とする。
【００５９】
好ましくは、本発明（１２）においては、上記本発明（５，６，１０）において、この網のリングのノードにＡＤＤするセルまたはパケットまたはセルヘッダ付きパケットは、そのノード番号をセルまたはパケットまたはセルヘッダ付きパケットに書き込んでリングに上がり、そのノード番号と同じ番号のノードに到達した場合には、多周回ビットを付与することを特徴とする。
【００６０】
好ましくは、本発明（１３）においては、上記本発明（１から７）において、
ドロップアドレスメモリは、初期状態のメモリデータがオール１で、記録するアドレス位置に通常のデータ１を記録する場合は、記録するデータは０を記録することを特徴とする。
【００６１】
好ましくは、本発明（１４）においては、上記本発明（１から７）において、
において、この網に属する各ノードのドロップアドレスメモリに必要なアドレスまたはドロップアドレスメモリの記録が必要なアドレスに対応する特定データの記録は、最下位階層を除く全ノードについて前もって設定されていることを特徴とする。
【００６２】
好ましくは、本発明（１５）においては、上記本発明（１から６，１０，１２）において、全リングの各ノードのドロップアドレスメモリのアドレスまたはドロップアドレスメモリへ記録が必要なアドレスのアドレス位置にそのアドレスを記録したことを示す特定データの記録は、各階層網の入口のノードのアドレスを持つ片経路設定セルまたは片経路設定パケットにより設定されることを特徴とする。
【００６３】
好ましくは、本発明（１６）においては、上記本発明（１５）において、片経路設定する対象の階層の網がツリー状リング網の場合には、その階層の最下位リングの下の網または端末と接続するノードのアドレスをそのノードのドロップアドレスメモリに残すとともに、そのノードのアドレスを持つ片経路設定セルまたは片経路設定パケットを一度または定期的にその階層の最上位リングの入口のドロップアドレスメモリまで、途中のリングは入口のドロップアドレスメモリにそのアドレスを書き込むのみで、そのリング上はスルーして、上位リングに上がるノードで、上位リングに上がり、最上位リングのドロップアドレスメモリにそのアドレスを書き込んだ後、そのセルまたはパケットは廃棄する構成であることを特徴とする。
【００６４】
好ましくは、本発明（１７）においては、上記本発明（１５）において、片経路設定する対象の階層の網が、メッシュ状リング網の場合には、その網の各リングの下の網または端末と接続するノードのアドレスをそのノードのドロップアドレスメモリに残すとともに、そのノードのアドレスを持つ片経路設定セルまたは片経路設定パケットをコピー可能セルまたはパケットに変換して、一度または定期的に、そのリングを周回させ、リング上のメッシュ伝送路に接続するノードでコピーして、メッシュ伝送路に送出し、その伝送路の接続先のメッシュ網リングの入口のドロップアドレスメモリに到達した場合には、そのメモリにそのセルまたはパケットの持つアドレスを書き込んだ後、その片経路設定セルまたは片経路設定パケットは廃棄する構成で、元のリングを周回したコピー可能片経路設定セルまたは片経路設定パケットは、ドロップアドレスメモリにそのセルまたはパケットの持つアドレスがあるノードに戻った場合には、その片経路設定セルまたは片経路設定パケットは廃棄する構成であることを特徴とする。
【００６５】
好ましくは、本発明（１８）においては、上記本発明（１５）において、片経路設定する対象の階層の網が串刺し状網の場合には、その網の各リングの下の網または端末と接続するノードのアドレスをそのノードのドロップアドレスメモリに残すとともに、そのノードのアドレスを持つ片経路設定セルまたは片経路設定パケットをコピー可能セルまたはコピー可能パケットにして、一度または定期的に、そのリングに周回させ、そのリング上の隣接リングに接続するノードでコピーして、隣接リングに送出する構成で、送信元のドロップアドレスメモリにそのセルまたはパケットの持つアドレスがあるノードに戻った片経路設定セルまたは片経路設定パケットは廃棄し、前記隣接リングに上がった片経路設定セルまたは片経路設定パケットは、そのリング入口のドロップアドレスメモリにそのセルまたはパケットの持つアドレスを書き込んだ後、そのリングを周回し、隣接ノードに接続するノードでドロップして、隣接リングに移る動作を繰り返し、串刺し状リング網の端のリングで隣接リングが無く、ドロップアドレスメモリにそのセルまたはパケットの持つアドレスがあるノードに戻った場合には、その片経路設定セルまたは片経路設定パケットは廃棄することを特徴とする。
【００６６】
好ましくは、本発明（１９）においては、上記本発明（１５）において、片経路設定する対象の階層の網が、リング網を串刺し状に多数接続したリング網の始点リング網と終点リング網を接続したループ状構成の串さしリング網の場合は、その網の各リングの下の網または端末と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードで、隣接リングにドロップし、その隣接リングに上がった片経路設定セルまたは片経路設定パケットは、そのリング入口のドロップアドレスメモリにそのセルまたはパケットの持つアドレスとマークを書き込むとともにそれらを仮設定とし、そのリングを周回して、リング上のドロップアドレスメモリにそのセルまたはパケットの持つアドレスを持つノードがある場合には、そのリングを１周してアドレスが仮設定されているノードに戻った場合、その仮設定されたアドレスとマークを削除するとともに、そのセルまたはパケットを廃棄し、一方、リング上のドロップアドレスメモリにそのセルまたはパケットの持つアドレスを持つノードが無い場合には、そのリングを１周してアドレスが仮設定されているノードに戻った場合、その仮設定されたアドレスを本設定にするとともに、多周回ビットを付けて、リングを周回し、多周回ビットのある片経路設定セルまたは片経路設定パケットは、隣接ノードに接続するノードでドロップして、隣接リングに移り、隣接リングの入口のドロップアドレスメモリにそのアドレスとマークを仮設定し、上記と同様な動作を繰り返すことにより片経路設定する方法か、または、その網の各リングの下の網または端末と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードにそのセルまたはパケットの持つアドレスの書き込みを禁止する記録を残して、元のノードまで周回させ、元のノードで多周回ビットを付けて、周回させ、多周回ビットの付いた片経路設定セルまたは片経路設定パケットは、隣接リングに接続するノードでドロップし、その隣接リングに上がった多周回ビット付片経路設定セルまたは片経路設定パケットは、そのリング入口のドロップアドレスメモリにそのセルまたはパケットの持つアドレスを書き込んだ後周回し、同様に離接ノード入口のドロップアドレスメモリに、そのアドレスの禁止が設定されているリングのノードまで、進み、そのアドレスの禁止が設定されているリングのノードで、その多周回ビット付片経路設定セルまたは片経路設定パケットは廃棄されることにより片経路設定する方法を用いることを特徴とする。
【００６７】
好ましくは、本発明（２０）においては、上記本発明（１５）において、この網が固定電話番号アドレスで転送される網であり、片経路設定する対象の階層の網が、メッシュ状リング網の上にメッシュ状リング網を接続する網の場合には、下位網のメッシュ状リング網の各リングの上位網への接続ノードが、上位網が国際網である場合には、自国の国際電話番号アドレスにそのノード番号アドレスを付加した国際接続番号アドレスを作り、そのアドレスを持つ片経路設定セルまたは片経路設定パケットを一度または定期的に上位網に、上位網との接続ノードから上位網の一つのメッシュ状リングに上げ、上位網の入口のドロップアドレスメモリにそのアドレスを残すとともに、そのノードで、そのセルまたはパケットをコピー可能セルまたはコピー可能パケットに変換して、そのリングを周回して、全てのメッシュ伝送路に接続するノードでコピーして、メッシュ伝送路に送出し、接続先のメッシュ状リングの入口のドロップアドレスメモリに前記アドレスを書き込んだ後、その片経路設定セルまたは片経路設定パケットは廃棄する構成で、送信元のリングを周回したコピー可能片経路設定セルまたは片経路設定パケットは、そのリングの下位網との接続ノードに戻った場合には、廃棄する構成で、この網から外国に発呼されるセルまたはパケットまたはセルヘッダ付きパケットは、上位網との接続ノードで、自国アドレスにそのノード番号アドレスを付加した送信元アドレスをもつとともに、相手外国の国際電話番号にその国で使用されている可能性のある全ての付加アドレスをそれぞれ持つ国際接続番号アドレスを持つ複数の発呼セルまたは発呼パケットまたは発呼セルヘッダ付きパケットに変換するとともにコピーして、上位網に送出し、相手国の宛先端末に到達した発呼セルまたは発呼パケットの持つ送信元アドレスと宛先アドレスから、その宛先端末は応答セルまたは応答パケットまたは応答セルヘッダ付きパケットを作成し、発信元に送出することを特徴とする。
【００６８】
好ましくは、本発明（２１）においては、上記本発明（５，６、１０、１５から２０）において、リング上にＡＤＤするセルまたはパケットまたはセルヘッダ付きパケットはその宛先アドレスまたは送信元アドレスの特定位置のビットの示すリング伝送路に上がることを特徴とする。
【００６９】
好ましくは、本発明（２２）においては、上記本発明（２１）において、リングにＡＤＤする発信側から着信側に向かうセルまたはパケットまたはセルヘッダ付きパケットが選択するリング伝送路が、宛先アドレス（送信元アドレス）の特定位置のビットの示す伝送路とした場合には、着信側から発信側に向かうパケットが選択するリング伝送路は、送信元アドレス（宛先アドレス）の特定位置のビットの示す伝送路とすることを特徴とする。
【００７０】
好ましくは、本発明（２３）においては、上記本発明（５，６，１０、１２から２０）において、リング上にＡＤＤするセルまたはパケットまたはセルヘッダ付きパケットはそのセルまたはパケットまたはセルヘッダ付きパケットの持つリング伝送路識別ビットの示すリング伝送路に上がることを特徴とする。
【００７１】
好ましくは、本発明（２４）においては、上記本発明（２３）において、リングにＡＤＤする着信側から発信側に向かうセルまたはパケットまたはセルヘッダ付きパケットが選択するリング伝送路は、発信側から着信側に向かうセルまたはパケットまたはセルヘッダ付きパケットはそのセルまたはパケットまたはセルヘッダ付きパケットの持つリング伝送路識別ビットとは逆のリング伝送路識別ビットを持つリング伝送路識別ビットの示すリング伝送路であることを特徴とする。
【００７２】
好ましくは、本発明（２５）においては、上記本発明（２１，２２，２３，２４）において、この網の最下位階層のエッジノードリングにＡＤＤする発呼セルまたはパケットまたはセルヘッダ付きパケットはそのリングの呼処理回路により相手エッジノードリングの呼処理回路間の伝送路の輻輳状態をチェックしてもらい、スルー伝送路の輻輳が予測される場合には、呼損として、廃棄することを特徴とする。
【００７３】
好ましくは、本発明（２６）においては、上記本発明（１から６、１０，１２，１５から２５）において、転送されるパケット  のＭＡＣは、ＭＡＣ  ｉｎ  ＭＡＣ  または  ＭＡＣ  ｉｎ  ＭＡＣ  ｉｎ  ＭＡＣであり、転送されるセルまたはセルヘッダ付きパケットのセルヘッダは、ダブルセルヘッダまたはセルヘッダのビット長を伸ばしたダブルセルヘッダであることを特徴とする。
【００７４】
好ましくは、本発明（２７）においては、上記本発明（２６）において、ＭＡＣ  ｉｎ  ＭＡＣ  または  ＭＡＣ  ｉｎ  ＭＡＣ  ｉｎ  ＭＡＣの持つアドレスまたはダブルセルヘッダまたはセルヘッダのビット長を伸ばしたダブルセルヘッダの持つアドレスは、既存固定電話番号の各桁の１０進数表示の０から９を４ビットの２進数に置き換えた固定電話２進ビット列であることを特徴とする。
【００７５】
好ましくは、本発明（２８）においては、上記本発明（２７）において、ＭＡＣ  ｉｎ  ＭＡＣ  または  ＭＡＣ  ｉｎ  ＭＡＣ  ｉｎ  ＭＡＣの一つのＭＡＣの持つアドレスまたはダブルセルヘッダまたはセルヘッダのビット長を伸ばしたダブルセルヘッダの一つのセルヘッダの持つアドレスの特定位置の１６ビットは、既存固定電話番号の各桁の１０進数表示の０から９を４ビットの２進数に置き換えた固定電話２進ビット列の下位１６ビットであることを特徴とする。
【００７６】
好ましくは、本発明（２９）においては、上記本発明（２７）において、ＭＡＣ  ｉｎ  ＭＡＣ  または  ＭＡＣ  ｉｎ  ＭＡＣ  ｉｎ  ＭＡＣまたは、ダブルセルヘッダまたはセルヘッダのビット長を伸ばしたダブルセルヘッダは、特定位置のアドレス１６ビットを最下階層である下位エッジノードリングで固定電話番号の１０進表示下位４桁に相当する１フローアドレスとして用い、特定位置のアドレス２０ビットを中間階層である固定電話番号の１０進表示下位５番目から９番目までの５桁に対応するビット列であるパスアドレスとして用い、さらに、残りのアドレスビット列を固定電話番号に対応する外国接続用ビット列８ビットとして用いることを特徴とする。
【００７７】
好ましくは、本発明（３０）においては、上記本発明（２９）において、
固定電話番号に対応する外国接続用ビット列８ビットに付加ビット列を付けて、外国接続用ビット列として用いることを
特徴とする。
【００７８】
好ましくは、本発明（３１）においては、上記本発明（２９）において、
外国に接続する場合には、その外国用の中間階層ビット列を用い、自国内の中間階層はスルービットを立ててスルーさせることを特徴とする。
【００７９】
好ましくは、本発明（３２）においては、上記本発明（２７，２８，２９）において、ＭＡＣ  ｉｎ  ＭＡＣパケットまたはＭＡＣ  ｉｎ  ＭＡＣ  ｉｎ  ＭＡＣパケットの内側のＭＡＣヘッダまたはダブルセルヘッダまたはセルヘッダのビット長を伸ばしたダブルセルヘッダの後に置かれるＭＡＣヘッダは、固定電話番号転送に用い、従来ＭＡＣ使用との区別はＭＡＣヘッダの第７番目のビットの０，１で判断することを特徴とする。
【００８０】
好ましくは、本発明（３３）においては、上記本発明（３２）において、家庭内のパソコンから、固定電話番号の代わりに携帯電話番号を送り、固定電話と携帯電話の区別はＭＡＣヘッダの空きビットを用いることを特徴とする。
【００８１】
好ましくは、本発明（３４）においては、上記本発明（３２）において、固定電話番号の代わりに、携帯電話番号を入れ、固定電話と携帯電話の区別はＭＡＣヘッダの空きビットで行うことを特徴とする。
【００８２】
好ましくは、本発明（３５）においては、上記本発明（１から７、１０、１２から３４）において、この網の最下位階層の下または最下位階層の網の代わりに置かれた無線エッジノードリング内は、無線用１フローアドレスで転送し、携帯端末への無線のそのリングでユニークな１フローアドレスの割り付けは、携帯端末発呼時に、発呼登録携帯端末に対して、前記無線エッジノードリングのノードに置かれる基地局が行い、着信側は、相手携帯番号を含む適当な前記無線エッジノードリングでユニークな１フローアドレスを持つパケットを、基地局が着信端末側にコピーパケットで呼び出しを行い、その１フローアドレスを使用した応答パケットで、発呼側に繋ぐことを特徴とする。
【００８３】
好ましくは、本発明（３６）においては、上記本発明（３５）において、セルまたはパケットまたはセルヘッダ付きパケットを転送する網の無線エッジノードリングのノードに置かれる発携帯アドレスメモリは、携帯番号が登録されるメモリであり、携帯端末の発呼時は、発携帯端末は、発携帯端末番号を含む電波を出し、発携帯端末から初めて電波を受けた基地局は、その発携帯端末の携帯番号を含む発呼登録パケットをそのノードの属する携帯登録用リングに上げ、そのノードの発携帯アドレスメモリにその携帯番号を記録するとともに、そのノード番号をその登録パケットに書き込んで、携帯登録用リング上を周回させ、その携帯番号がノードの発携帯アドレスメモリに記録されている場合で、そのノード番号が、そのパケットの持つノード番号より大きい場合には、その携帯番号記録を消し、一方、その携帯番号が記録されている場合で、そのノード番号が、そのパケットの持つノード番号より小さい場合には、その旨をそのパケットに記録して、そのパケットに記録されているノード番号の元のノードに戻り、そのノードの発携帯アドレスメモリの記録した携帯番号の記録を消去する構成であり、その発携帯アドレスメモリへの携帯番号の書き込みから一定時間経過しても記録が残っている場合には、そのノードが発呼受付したと判断し、その携帯番号にその無線エッジノードリングでユニークな１フローアドレスを与えて、その１フローアドレスを、そのノードの送信リングの送信アドレスメモリおよび着信リングの着信アドレスメモリに記録し、その旨を、そのノードの基地局が、発信側の局へ、その基地局のその階層のアドレスとその１フローアドレスと発携帯番号とそのホームメモリと相手携帯番号とそのホームメモリまたは接続先ＩＰアドレスまたは相手固定電話番号を持つパケットを送出して、発呼処理を行うことを特徴とする。
【００８４】
好ましくは、本発明（３７）においては、上記本発明（３５）において、無線エッジノードリングのノードに置かれる送信アドレスメモリは、携帯番号の持つ１フローアドレスが登録されるメモリであり、携帯端末の受信エリアが変わったと判断した時は、その携帯端末は、それまで出していた発信番号より一つ増加した発信番号の電波を出し、携帯端末から初めてかこれまでと発信番号の異なる電波を受けた基地局で、その携帯端末を接続中でない基地局は、その携帯端末の１フローアドレスと発信番号を含む移動登録パケットをそのノードの属する送信リングに上げ、そのノードの送信アドレスメモリにその１フローアドレスと発信番号を記録するとともに、そのノード番号をその移動登録パケットに書き込んで、送信リング上を周回させ、その１フローアドレスがノードの送信アドレスメモリに記録されている場合で、その記録されている発信番号がそのパケットの持つ発信番号より小さい場合には、そのノードの送信アドレスメモリと着信アドレスメモリのその発信番号と１フローアドレス記録を消去し、発信番号が同じでそのノード番号が、そのパケットの持つノード番号より大きい場合には、そのノードの送信アドレスメモリのその発信番号と１フローアドレス記録を消し、一方、１フローアドレスが記録されている場合で、発信番号がそのパケットの持つ番号と同じで、そのノード番号が、そのパケットの持つノード番号より小さい場合には、その旨をそのパケットに記録して、そのパケットに記録されているノード番号の元のノードに戻り、そのノードの送信リングの記録した１フローアドレスと発信番号の記録を消去する構成であり、その送信アドレスメモリへの１フローアドレスの書き込みから一定時間経過しても記録が残っている場合には、そのノードが移動受付したと判断し、その１フローアドレスを着信リングの着アドレスメモリに記録し、その旨を、そのノードの基地局が、その携帯端末のホームメモリに、その携帯端末番号とその基地局のアドレスを位置登録するとともに、発信側の局または受信側の局に、その基地局のその階層のアドレスとその携帯番号と１フローアドレスとそのホームメモリと相手携帯番号とそのホームメモリまたは接続先ＩＰアドレスまたは相手固定電話番号を持つパケットを送出して、移動受付処理を行うことを特徴とする。
【００８５】
好ましくは、本発明（３８）においては、上記本発明（３５）において、無線エッジノードリングのノードに置かれる着信アドレスメモリは、着信１フローアドレスが登録されるメモリであり、着信時は、着信側の局が、着信携帯端末が現在存在すると思われる無線エッジノードリング上の全ての基地局から一斉にその無線エッジノードリングでユニークな１フローアドレスを含む着信端末携帯番号を呼び出し、着信端末からの１フローアドレスを含む応答電波を受けた基地局が、その着信応答端末の１フローアドレスを含む着信応答登録パケットをそのノードの属する着信リングに上げ、そのノードの着信アドレスメモリにその１フローアドレスを記録するとともに、そのノード番号をその着信登録パケットに書き込んで、着信リング上を周回させ、そのリング上の着信アドレスメモリにその１フローアドレスが記録されていない場合には、その１フローアドレスの記録を禁止する処置を行い、記録されている場合で、そのノード番号が、そのパケットの持つノード番号より大きい場合には、その記録を消すとともに、その１フローアドレスの書き込みを禁止する処置を取り、一方、記録されている場合で、そのノード番号が、そのパケットの持つノード番号より小さい場合には、その旨をパケットに記録して、そのパケットに記録されているノード番号の元のノードに戻り、そのノードの着信アドレスメモリの記録した１フローアドレスの記録を消去するとともに、その１フローアドレスの書き込みを禁止する処置を取る構成であり、その着信アドレスメモリへの１フローアドレスの書き込みから一定時間経過しても記録が残っている場合には、そのノードが着信応答受付したと判断し、そのノードの基地局が、前記着信側の局へ、その基地局のその階層のアドレスと１フローアドレスと発携帯番号と着信携帯番号を持つパケットを送出して、着信応答処理を行うことを特徴とする。
【００８６】
好ましくは、本発明（３９）においては、上記本発明（３５）において、無線エッジノードリングは、０系リング伝送路と１系リング伝送路を持ち、携帯端末の発呼時は、発携帯端末は、発携帯端末番号を含む電波を出し、発携帯端末から初めて電波を受けた基地局は、その発携帯端末の携帯番号を含む発呼登録パケットをそのノードのその携帯端末番号を２進数に変更したビット列の特定位置のビットに対応するリング伝送路に上げ、そのリング伝送路の発携帯アドレスメモリにその携帯番号を記録するとともに、そのノード番号をその登録パケットに書き込んで、そのリング伝送路上を周回させ、その携帯番号がノードのそのリング伝送路の発携帯アドレスメモリに記録されている場合で、そのノード番号が、そのパケットの持つノード番号より大きい場合には、その携帯番号記録を消し、一方、その携帯番号が記録されている場合で、そのノード番号が、そのパケットの持つノード番号より小さい場合には、その旨をそのパケットに記録して、そのパケットに記録されているノード番号の元のノードに戻り、そのノードのその携帯端末番号を２進数に変更したビット列の特定位置のビットに対応するリング伝送路の発携帯アドレスメモリの記録した携帯番号の記録を消去する構成であり、その発携帯アドレスメモリへの携帯番号の書き込みから一定時間経過しても記録が残っている場合には、そのノードが発呼受付したと判断し、その携帯番号にその無線エッジノードリングでユニークな１フローアドレスを与えて、その１フローアドレスを、その１フローアドレスの特定位置のビットに対応するリング伝送路のドロップアドレスメモリに記録し、その旨を、そのノードの基地局が、発信側の局へ、その基地局のその階層のアドレスとその１フローアドレスと発携帯番号とそのホームメモリと相手携帯番号とそのホームメモリまたは接続先ＩＰアドレスまたは相手固定電話番号を持つパケットを送出して、発呼処理を行うことを特徴とする。
【００８７】
好ましくは、本発明（４０）においては、上記本発明（３５）において、無線エッジノードリング０系リング伝送路と１系リング伝送路を持ち、通信中の携帯端末の使用中の１フローアドレスは、その通信中の携帯端末が接続中の基地局のあるノードのその携帯端末の使用中の１フローアドレスの特定位置のビットに対応するリング伝送路のドロップアドレスメモリに記録されており、携帯端末の受信エリアが変わったと判断した時は、その携帯端末は、それまで出していた発信番号より一つ増加した発信番号含む電波を出し、携帯端末から初めてかこれまでと発信番号の異なる電波を受けた基地局で、その携帯端末を接続中でない基地局は、その携帯端末の１フローアドレスと発信番号を含む移動登録パケットを、その基地局のノードのその携帯端末の使用中の１フローアドレスの特定位置のビットに対応するリング伝送路に上げ、そのリング伝送路のドロップアドレスメモリにその１フローアドレスと発信番号記録するとともに、そのノード番号をその移動登録パケットに書き込んで、そのリング伝送路上を周回させ、その１フローアドレスがノードのそのリング伝送路のドロップアドレスメモリに記録されている場合で、その記録されている発信番号がそのパケットの持つ発信番号より小さい場合には、そのノードのそのドロップアドレスメモリに記録されているその１フローアドレスとその発信番号とを消去し、その１フローアドレスが前記リング伝送路のドロップアドレスメモリに記録されている場合で、それとともに記録されている発信番号がそのパケットの持つ発信番号と同じでそのノード番号が、そのパケットの持つノード番号より大きい場合には、そのノードの前記リング伝送路のドロップアドレスメモリに記録されているその１フローアドレスと発信番号とを消し、一方、前記リング伝送路のドロップアドレスメモリにその１フローアドレスが記録されている場合で、それとともに記録されている発信番号がそのパケットの持つ番号と同じで、そのノード番号が、そのパケットの持つノード番号より小さい場合には、その旨をそのパケットに記録して、そのパケットに記録されているノード番号の元のノードに戻り、そのノードの前記リング伝送路のドロップアドレスメモリの記録した１フローアドレスと発信番号の記録を消去するとともに、そのパケットを廃棄する構成であり、そのドロップアドレスメモリへの１フローアドレスの書き込みから一定時間経過しても記録が残っている場合には、そのノードが携帯端末移動受付したと判断し、その旨を、その旨を、そのノードの基地局が、その携帯端末のホームメモリに、その携帯端末番号とその基地局のアドレスを位置登録するとともに、発信側の局または受信側の局に、その基地局のその階層のアドレスとその携帯番号と１フローアドレスとそのホームメモリと相手携帯番号とそのホームメモリまたは接続先ＩＰアドレスまたは相手固定電話番号を持つパケットを送出して、移動受付処理を行うことを特徴とする。
【００８８】
好ましくは、本発明（４１）においては、上記本発明（３５）において、
無線エッジノードリング０系リング伝送路と１系リング伝送路を持ち、着信時は、着信側の局が、着信携帯端末が現在存在すると思われる無線エッジノードリング上の全ての基地局から一斉にその無線エッジノードリングでユニークな１フローアドレスを含む着信端末携帯番号を呼び出し、着信端末からの１フローアドレスを含む応答電波を受けた基地局が、その着信応答端末の１フローアドレスを含む着信登録パケットをそのノードの属する前記１フローアドレスの特定位置のビットに対応するリング伝送路に上げ、そのリングのドロップアドレスメモリにその１フローアドレスを記録するとともに、そのノード番号をその着信登録パケットに書き込んで、そのリング伝送路上を周回させ、そのリング伝送路上のドロップアドレスメモリにその１フローアドレスが記録されていない場合には、その１フローアドレスの記録を禁止する処置を行い、そのリング伝送路上のドロップアドレスメモリにその１フローアドレスが記録されている場合で、そのノード番号が、そのパケットの持つノード番号より大きい場合には、その記録を消すとともに、その１フローアドレスの書き込みを禁止する処置を取り、一方、そのリング伝送路上のドロップアドレスメモリにその１フローアドレスが記録されている場合で、そのノード番号が、そのパケットの持つノード番号より小さい場合には、その旨をパケットに記録して、そのパケットに記録されているノード番号の元のノードに戻り、そのノードの前記リング伝送路のドロップアドレスメモリの記録した１フローアドレスの記録を消去するとともに、その１フローアドレスの書き込みを禁止する処置を取るとともに、そのパケットを廃棄する構成であり、そのドロップアドレスメモリへの１フローアドレスの書き込みから一定時間経過しても記録が残っている場合には、そのノードが着信応答受付したと判断し、そのノードの基地局が、前記着信側の局へ、その基地局のその階層のアドレスと１フローアドレスと発携帯番号と着信携帯番号を持つパケットを送出して、着信応答処理を行うことを特徴とする。
【００８９】
本発明は、上記説明したように、特願２０１２−２０６０１１（パケット転送法およびノード装置）に記載されているツリー構造を基本とする多数リングがツリー状に接続する、リングノードに用いるそのドロップアドレスメモリが、パケットをリングからドロップするか否かの１ビット情報しか持たないメモリを利用する網を用い、そこで転送するパケットのアドレスとして、固定電話網の電話番号を用い、そのアドレスを地域毎に、独立して分けて用い、かつ、電話番号下４桁に相当する１６ビットの市内網、電話番号の中間５桁に相当する２０ビットの市外網および外国接続用に８ビットを用いる３階層の網として用いる。この網で転送されるＩＰ  ｏｖｅｒ  ＭＡＣ  パケット  または  セルヘッダ付きＩＰパケットは、階層毎に使用するアドレス範囲が分離されるため、リングノードに用いるドロップアドレスメモリまたはドロップアドレステーブルのアドレスビット長は最大でも２０ビットで済み、ＲＡＭ，ＳＲＡＭ，ＣＡＭ等のメモリが使用でき、ハッシュ計算も不要となるため、コストダウンが図られる。さらに、この網の経路設定は、上記特許に示されているように、片経路設定セルまたはパケットで、最上位リングまで、片経路設定後に、一筆書きで自動設定できる。また、市内網以外の上位網は、経路を事前に埋め込み設定しておいてもよい。
【００９０】
さらに、この網では、ツリー構造であるため、基本的に、上位リングに上る方向では、各階層をスルーで通過可能であるため、転送するＩＰ  ｏｖｅｒ  ＭＡＣ  パケット  または  セルヘッダ付きＩＰパケットの持つ送信元アドレスは省略することができる。但し、応答用の送信元アドレスは必要であるため、発呼パケットまたは発呼セルヘッダパケットまたは初期設定パケットまたは初期設定セルヘッダ付きパケットに送信元アドレスを含ませ、送信先端末または送信先装置に登録しておく必要がある。後続するＩＰ  ｏｖｅｒ  ＭＡＣ  パケット、または、セルヘッダ付きＩＰパケットの送信先装置での識別は、別途その送信先装置内だけで識別できるアドレス付与が必要となる。
【００９１】
本発明では、ツリー状リング網の上にさらに、串刺し状リング網および、メッシュ状リング網を用い、網の大きさを拡大することも可能である。また、本発明の網では、各階層間の接続点で、転送するＩＰ  ｏｖｅｒ  ＭＡＣ  パケット  または  セルヘッダ付きＩＰパケットのヘッダ変換は不要である特徴がある。
【００９２】
尚、アドレス埋め込み式ならば、どのような網でも、送信元アドレスが無くてもセルヘッダ付きパケットまたはパケットを転送できる。
【００９３】
また、本発明の網では、エッジノードリングのノードとして、無線網の基地局を設定することで、携帯電話網にも利用できる。
【００９４】
また、本発明の階層分けＭＡＣ処理動作形転送網には、既存インターネット網のＩＰ端末またはＩＰサーバを従来のＩＰアドレスで動作可能のまま、収容することができる特徴がある。さらに、従来のインターネットで行われていたネットサーフィンは、本発明では、サーバ側に宛先ＩＰアドレスから宛先ＭＡＣ階層アドレスに変換できるＭＡＣアドレスヘッダ変換回路を持ち、送信端末側に制御を戻すことなく、宛先サーバから直接サーフィン先に接続することで、可能になる特徴がある。または、ネットサーフィン変更先を送信元端末に戻すことで可能になる特徴がある。
【発明の効果】
【００９５】
以上説明したように、本発明のアドレス分割転送リング網を転送するＩＰ  ｏｖｅｒ  ＭＡＣ  パケット  または  セルヘッダ付きＩＰパケットの転送に用いるリングノードのドロップアドレスメモリは、各階層で使用する短いアドレス長分のアドレス空間だけあればよいため、ＲＡＭ，ＳＲＡＭ，ＣＡＭ等のメモリが使用でき、コストダウンが図られる効果がある。そのため、ハッシュ技術が不要であり、ノードが簡単化され、高速動作が可能となる。また、アドレス分割転送リング網は、世界規模の網を簡単に構成できる利点がある。さらに、その網で使用するアドレスは固定電話番号アドレスが利用できるため、加入者端末が全ての転送に必要なアドレスを決定できる利点がある。さらに、本発明の網では、ＩＰ端末またはＩＰサーバは、それらの持つ既存ＩＰアドレスで、他のＩＰ端末またはＩＰサーバと従来通りの接続関係を維持できる利点がある。
【図面の簡単な説明】
【００９６】
【図１】本発明の第１実施例のメッシュ網階層化分割アドレスドロップアドレスメモリを用いたパケットまたはセル転送網の動作を説明するための図である。
【図２】本発明の第２実施例のメッシュ網階層化分割アドレスドロップアドレスメモリを用いたパケットまたはセルまたはセルヘッダ付きパケット転送網の動作を説明するための図である。
【図３】本発明の第３実施例のリング網階層化分割アドレスドロップアドレスメモリを用いたパケットまたはセルまたはセルヘッダ付きパケット転送網の動作を説明するための図である。
【図４】本発明の第４実施例のリング網階層化分割アドレスドロップアドレスメモリを用いたパケットまたはセルまたはセルヘッダ付きパケット転送網の動作を説明するための図である。
【図５】本発明の第５実施例のリング網階層化分割アドレスドロップアドレスメモリを用いたパケットまたはセルまたはセルヘッダ付きパケット転送網の動作を説明するための図である。
【図６】本発明の第６実施例のリング網階層化分割アドレスドロップアドレスメモリを用いたパケットまたはセルまたはセルヘッダ付きパケット転送網の動作を説明するための図である。
【図７】本発明の第７実施例のリング網階層化分割アドレスドロップアドレスメモリを用いたパケットまたはセルまたはセルヘッダ付きパケット転送網の動作を説明するための図である。
【図８】本発明の第８実施例のリング網階層化分割アドレスドロップアドレスメモリを用いたパケットまたはセルまたはセルヘッダ付きパケット転送網の動作を説明するための図である。
【図９】本発明の第９実施例のリング網階層化分割アドレスドロップアドレスメモリを用いたパケットまたはセルまたはセルヘッダ付きパケット転送網の動作を説明するための図である。
【図１０】本発明の第１０実施例のリング網階層化分割アドレスドロップアドレスメモリを用いたパケットまたはセルまたはセルヘッダ付きパケット転送網の動作を説明するための図である。
【図１１】本発明の第１１実施例のリング網階層化分割アドレスドロップアドレスメモリを用いたパケットまたはセルまたはセルヘッダ付きパケット転送網の動作を説明するための図である。
【図１２】本発明の第１２実施例のリング網階層化分割アドレスドロップアドレスメモリを用いたパケットまたはセルまたはセルヘッダ付きパケット転送網の応用例の動作を説明するための図である。
【図１３】本発明の第１３実施例のリング網階層化分割アドレスドロップアドレスメモリを用いたパケットまたはセルまたはセルヘッダ付きパケット転送網の応用例の動作を説明するための図である。
【図１４】本発明の第１４実施例のリング網階層化分割アドレスドロップアドレスメモリを用いたパケットまたはセルまたはセルヘッダ付きパケット転送網の応用例の動作を説明するための図である。
【図１５】本発明の第１５実施例のリング網階層化分割アドレスドロップアドレスメモリを用いたパケットまたはセルまたはセルヘッダ付きパケット転送網の応用例の動作を説明するための図である。
【図１６】本発明のリング網階層化分割アドレスドロップアドレスメモリを用いたセルまたはセルヘッダ付きパケット転送網に用いるダブルセルヘッダ構成例を説明するための図である。
【図１７】本発明のリング網階層化分割アドレスドロップアドレスメモリを用いたセルまたはセルヘッダ付きパケット転送網に用いるダブルセルヘッダ構成例を説明するための図である。
【図１８】本発明のリング網階層化分割アドレスドロップアドレスメモリを用いたパケット転送網に用いるパケットヘッダ構成例を説明するための図である。
【図１９】従来技術を説明するための図である。
【図２０】従来技術を説明するための図である。
【図２１】従来技術を説明するための図である。
【図２２】従来技術を説明するための図である。
【図２３】従来技術を説明するための図である。
【図２４】従来技術を説明するための図である。
【図２５】従来技術を説明するための図である。
【発明を実施するための形態】
【００９７】
本発明の第１実施例を図１に示す。この実施例は、メッシュ網をツリー状に接続した、３階層からなる網で、この網は、固定電話番号アドレスを３階層に分けて用いる例である。また、この例は、全経路のソースＭＡＣアドレスが手動でＬ２スイッチに設定されている例である。
【００９８】
８５０は、市内網（メッシュ網）からなる第１階層、８５１は、市外網（メッシュ網）からなる第２階層、８５２は、国際網（メッシュ網）からなる第３階層、８５６，８５７，８５８，８５９は第１階層のＬ２スイッチ、８６５，８６１，８６２，８６０、８６３，８６４は、第２階層のＬ２スイッチ、８６６，８６７，８６８は第３階層のＬ２スイッチ、８５７、８５８，８５９は、地域階梯内の集点ノードで、上位網との接続ノード、８６３，８６４は、市外階梯内の集点ノードで、国際網との接続関門ノード、８６０，８６１，８６２は、下位網との接続ノードで、自階層内での自ノードのＭＡＣアドレスを持つ。８６６，８６７は、国際網の下位網と接続ノードで、国際網内での自ノードＭＡＣアドレスを持つ。８５３，は、送信端末Ａ，８５４は受信端末Ｂである。８５５は、送信端末Ａが送出するパケットで、ＭＡＣ、ｂ、ｃ、ｂの最初のｂは、相手国を指す、第３階層国際網の出口ノードのＭＡＣアドレス、次のｃは、相手国の市外網の出口である第２階層の最下位ノードのＭＡＣアドレス、次のｂは相手第１階層である市内網の端末に接続するノードのＭＡＣアドレスである。このアドレスは送信元アドレスを持たない宛先アドレスのみのアドレスである。
【００９９】
８９０は、この網で使用される固定電話番号の３階層アドレスを示す。各階層の下位階層との接続ノードはその階層でのみ使用する自ＭＡＣアドレスを持つ。各階層のＬ２スイッチに記したａ，ｂ，ｃはいずれもその階層でのみ使用可能なＭＡＣソースアドレスであり、各Ｌ２スイッチに事前に手動で設定されている。各階層の地域は、設定されている宛先ＭＡＣアドレスにより、パケット転送されるが、その地域をパケットがスルーで通過する場合には、上位網との接続ノードであり、その地域階梯内の集点ノードに向かって、設定されている経路によりパケットが転送される。図に示した（１）から（１７）の記号は、８５５のＭＡＣパケットが、送信端末Ａから受信端末Ｂに転送される経路を示したものであり、自国内の各階層のＬ２スイッチはスルーで通過する。
次に、本発明の第２実施例を図２に示す。この実施例は、メッシュ網をツリー状に接続した、３階層からなる網で、この網は、固定電話番号アドレスを３階層に分けて用いる例である。また、この例は、全経路のソースＭＡＣアドレスがフラッディングによりＬ２スイッチに事前に設定されている例である。
【０１００】
８７０は、市内網（メッシュ網）からなる第１階層、８７１は、市外網（メッシュ網）からなる第２階層、８７２は、国際網（メッシュ網）からなる第３階層、８７６，８７７，８７８，８７９は第１階層のＬ２スイッチ、８８５，８８１，８８２，８８０、８８３，８８４は、第２階層のＬ２スイッチ、８８６，８８７，８８８は第３階層のＬ２スイッチ、８７７、８７８，８７９は、地域階梯内の集点ノードで、上位網との接続ノード、８８３，８８４は、市外階梯内の集点ノードで、国際網との接続関門ノード、８８０，８８１，８８２は、下位網との接続ノードで、自階層内での自ノードのＭＡＣアドレスを持つ。
【０１０１】
８８６，８８７は、国際網の下位網と接続ノードで、国際網内での自ノードＭＡＣアドレスを持つ。８７３，は、送信端末Ａ，８７４は受信端末Ｂである。８７５は、送信端末Ａが送出するパケットで、ＭＡＣ、ｂ、ｃ、ｂの最初のｂは、相手国を指す、第３階層国際網の出口ノードのＭＡＣアドレス、次のｃは、相手国の市外網の出口である第２階層の最下位ノードのＭＡＣアドレス、次のｂは相手第１階層である市内網の端末に接続するノードのＭＡＣアドレスである。このアドレスは送信元アドレスを持たない宛先アドレスのみのアドレスである。
【０１０２】
８９０は、この網で使用される固定電話番号の３階層アドレスを示す。各階層の下位階層との接続ノードはその階層でのみ使用する自ＭＡＣアドレスを持つ。各階層のＬ２スイッチに記したａ，ｂ，ｃはいずれもその階層でのみ使用可能なＭＡＣソースアドレスであり、各階層の下位網との接続ノードの持つＭＡＣアドレスであり、フラッディングにより地域内の各Ｌ２スイッチに事前に設定される。ａ１、ａ２、ａ３、ｃ１、ｃ２、ｃ３等の数字がフラッディング順を示したもので、Ｘｃ３、Ｘａ３、Ｘｃ２等の記号は、フラッディングが到着したＬ２スイッチに既に同じＭＡＣアドレスが到着したポートと違うポートに設定されている場合に、そのパケットが廃棄されたことを示している。この廃棄動作により、フラッディングストームは、スパニングツリープロトコルが無くても起きない。
【０１０３】
各階層の地域は、設定されている宛先ＭＡＣアドレスにより、パケット転送されるが、その地域をパケットがスルーで通過する場合には、上位網との接続ノードであり、その地域階梯内の集点ノードに向かって、設定されている経路によりパケットが転送される。図に示した（１）から（１７）の記号は、８７５のＭＡＣパケットが、送信端末Ａから受信端末Ｂに転送される経路を示したものであり、自国内の各階層のＬ２スイッチはスルーで通過する。
【０１０４】
本発明の第３実施例を図３に示す。この実施例は、２重リングをツリー状に接続した、３階層からなる網で、この網は、固定電話番号アドレスを３階層に分けて用いる例である。また、この例は、片方向経路が設定されている例である。
【０１０５】
１は、市内網（エッジノードリング）２からなる第１階層、３は、市外網（ツリー状網）４からなる第２階層、５は、国際網（ツリー状網）６からなる第３階層、７はエッジノード２重リング、８は、第２階層の２重リング、９は第３階層の２重リング、１０は、固定電話番号アドレス、１１は発側端末Ａ，１２は着側端末Ｂ，５０は、第２階層の最下位リングのエッジノードリングと接続するノードの自信のアドレス（ａ，ｂ，ｃ，ｄ）を持つドロップアドレスメモリ、５１は、第２階層の最下位リングが上位リングに接続するノードのドロップアドレスメモリ、５２は、第２階層の最上位リングが、第３階層リングに接続するノードのドロップアドレスメモリ、５３は、第２階層の最上位リングが下位リングと接続するノードのドロップアドレスメモリ、５４は、第３階層の最下位リングの第２階層リングと接続するノードの自信のアドレス（ｅ，ｆ，ｇ，ｈ）を持つドロップアドレスメモリ、５５は、第３階層の最上位リングの下位リングと接続するノードのドロップアドレスメモリ、５７は、第３階層の最下位リングが上位リングに接続するノードのドロップアドレスメモリ、６０は端末Ａ（１１）が送出するセルの宛先アドレスであるＶＰＩ（第３階層のアドレスｈ、相手国第２階層のアドレスｂ）およびＶＣＩ（Ｂ）、６１は、端末Ａからの送出するセルがエッジノードリングをスルーする例、６２は、端末Ａからの送出セルが、第２階層の最下位リングをスルーする例、６３は、端末Ａからのセルが、第２階層の最上位リングをスルーする例、６４、６５は端末Ａからのセルが、第３階層の最下位リングを周回する例、６６は、端末Ａからのセルが、多周回ビット（ｍｒ）を付けられて周回する例、６７は、端末Ａからの多周回ビットを付けられたセルの宛先アドレスｈが書き込まれた上位リングとの接続ノードのドロップアドレスメモリ、６８は、端末Ａからのセルが、第３階層の最上位リングをドロップする例、６９は、端末Ａからのセルが、第３階層の最下位リングをドロップし、第２階層に接続する例、７０は、端末Ａからのセルが、宛先国の第２階層の最上位リングをドロップする例、７１は、端末Ａからのセルが、宛先国の第２階層の最下位リングをドロップし、宛先エッジノードリングに接続する例、７２は、端末Ａからのセルが、宛先国のエッジノードリングをドロップし、宛先端末Ｂに接続する例、７３は、宛先端末ＢのアドレスＢが書かれているドロップアドレスメモリである。多周回ビットは、多周回ビット付与ノードで設定してもよいが、リングノードにＡＤＤする際、セルにノード番号を書き、そのセルが、そのノード番号と同じノードに到達した場合には、多周回ビットを付与しても良い。
【０１０６】
この実施例は、各階層の最下位リングの下位リングと接続するノードが、そのノードに自信のその階層のアドレスを書くとともに、その階層の最上位リングの下位リングとの接続ノードのドロップアドレスメモリまで、定期的にそのノードのアドレスのみを持つ片経路設定セルを送出し、スルーリングに上がる点のドロップアドレスメモリと最上位リングの下位リングとの接続ノードのドロップアドレスメモリにそのセルの持つアドレスを書き込む場合の例である。これにより、この網に送出されるセルは、上り方向は、スルーするか、宛先が無ければ、そのリングを一周して、ＡＤＤノードで多周回ビットが付けられて、多周回ビットの付いたセルは上位リングに接続するノードで、そのノードのドロップアドレスメモリにそのセルのその階層で使用する宛先アドレスを書いて、上位リングに上がり、前記片経路設定セルにより、宛先アドレスが書かれているノードに到達した場合には、以後その既に設定されているアドレスにより、下り方向は、相手エッジノードリングまで到達することができる。
【０１０７】
逆方向も同様に到達することができる。外国接続する場合には、発側の国内のエッジノードリングおよび第２階層のリングは全てスルーする。これは、アドレス分割転送では、外国接続する場合には、自国の第２階層のドロップアドレスメモリに相手国の第２階層の宛先アドレスを書き込むことができないためである。これは、そのアドレスが、相手国と自国間でダブルためである。従って、相手国での下り方向は、送信元アドレスをドロップアドレスメモリに残すことができないため、自国内の上り方向はスルーするしか方法がない。これは、事前に経路設定することもできない。第２階層をスルーできるのは、一方向性のあるツリー状網だけで、最上位にメッシュ網を持つツリー状網も可能であるが、それは、メッシュ網をスルーしないのでスルーできるだけである。
【０１０８】
なお、この実施例で、上位階層に接続するリングにおける上位リングに上がるノードがその階層での集点ノードになる。また、各リングで、スルー通過して上位リングに上がるノードが地域階梯での集点ノードになる。
【０１０９】
次に、本発明の第４実施例を図４に示す。この実施例は、２重リングをツリー状に接続した、３階層からなる網で、この網は、固定電話番号アドレスを３階層に分けて用いる例である。また、この例は、第２階層、第３階層の全経路が事前に設定されている例である。
【０１１０】
８０は、事前に設定された第２階層の最上位リングを除く、第２階層の各リングの上位リングに上がるノードのドロップアドレスメモリに宛先アドレスが設定されている例である。８１は、事前に設定された第３階層の最上位リングを除く、第３階層の各リングの上位リングに上がるノードのドロップアドレスメモリに宛先アドレスが設定されている例である。
【０１１１】
８２は端末Ａ（１１）が送出するセルの宛先アドレスであるＶＰＩ（第３階層のアドレスｈ、相手国第２階層のアドレスｂ）およびＶＣＩ（Ｂ）、８３は、端末Ａからの送出するセルがエッジノードリングをスルーする例、８４は、端末Ａからの送出セルが、第２階層の最下位リングをスルーする例、８５は、端末Ａからの送出セルが、第２階層の最上位リングをスルーする例、８６は、端末Ａからのセルが、第３階層の最下位リングを周回する例、８７は、端末Ａからのセルが、第３階層の最上位リングに到達した例、８８は、端末Ａからのセルが、第３階層の最上位リングをドロップする例、８９は、端末Ａからのセルが、第３階層の最下位リングをドロップし、第２階層に接続する例、９０は、端末Ａからのセルが、宛先国の第２階層の最上位リングをドロップする例、９１は、端末Ａからのセルが、宛先国の第２階層の最下位リングをドロップし、宛先エッジノードリングに接続する例、９２は、端末Ａからのセルが、宛先国のエッジノードリングをドロップし、宛先端末Ｂに接続する例、９３は、宛先端末ＢのアドレスＢが書かれているドロップアドレスメモリである。他の回路動作は、実施例３と同じなので、説明を省略する。
【０１１２】
この実施例は、経路が事前設定されているため、リングには全て宛先があるので、多周回ビットを付けることがない。しかし、第１実施例で説明したように、自国の第２階層はスルーするしかない。
【０１１３】
次に、本発明の第５実施例を図５に示す。この実施例は、２重リングをツリー状に接続した、３階層からなる網で、この網は、固定電話番号アドレスを３階層に分けて用いる例で、国内接続の例である。また、この例は、片方向経路が設定されている例である。
【０１１４】
１００は端末Ａ（１１）が送出するセルの宛先アドレスであるＶＰＩ（第３階層のアドレスは自国内接続を示す０、相手端末の第２階層のアドレスａ）およびＶＣＩ（Ｂ）、１０１は、端末Ａからの送出するセルがエッジノードリングをスルーする例、１０２、１０３は、端末Ａからのセルが、第２階層の最下位リングを周回する例、１０４は、端末Ａからのセルが、多周回ビット（ｍｒ）を付けられて周回する例、１０５は、端末Ａからの多周回ビットを付けられたセルの宛先アドレスａが書き込まれた上位リングとの接続ノードのドロップアドレスメモリ、１０６は、端末Ａからのセルが、第２階層の最上位リングをドロップする例、１０７は、端末Ａからのセルが、第２階層の最下位リングをドロップし、宛先エッジノードリングに接続する例、１０８は、端末Ａからのセルが、エッジノードリングをドロップし、宛先端末Ｂに接続する例、１０９は、宛先端末ＢのアドレスＢが書かれているドロップアドレスメモリである。他の回路動作は、実施例１と同じなので、説明を省略する。多周回ビットは、多周回ビット付与ノードで設定してもよいが、リングノードにＡＤＤする際、セルにノード番号を書き、そのセルが、そのノード番号と同じノードに到達した場合には、多周回ビットを付与しても良い。
【０１１５】
次に、本発明の第６実施例を図６に示す。この実施例は、２重リングをツリー状に接続した、３階層からなる網で、この網は、固定電話番号アドレスを３階層に分けて用いる例で、国内接続の例である。また、この例は、全経路が事前に設定されている例である。
【０１１６】
１１０は端末Ａ（１１）が送出するセルの宛先アドレスであるＶＰＩ（第３階層のアドレスは自国内接続を示す０、相手端末の第２階層のアドレスａ）およびＶＣＩ（Ｂ）、１１１は、端末Ａからの送出するセルがエッジノードリングをスルーする例、１１２は、端末Ａからのセルが、第２階層の最下位リングを周回する例、１１３は、端末Ａからのセルが、第２階層の最上位リングをドロップする例、１１４は、端末Ａからのセルが、第２階層の最下位リングをドロップし、宛先エッジノードリングに接続する例、１１５は、端末Ａからのセルが、エッジノードリングをドロップし、宛先端末Ｂに接続する例、１１６は、宛先端末ＢのアドレスＢが書かれているドロップアドレスメモリである。他の回路動作は、実施例４と同じなので、説明を省略する。
【０１１７】
次に、本発明の第７実施例を図７に示す。この実施例は、第２階層が２重リングをツリー状に接続し、第３階層がメッシュ状に接続した、３階層からなる網で、この網は、固定電話番号アドレスを３階層に分けて用いる例で、国際接続の例である。また、この例は、片経路設定されている例である。
【０１１８】
２１は、第３階層のメッシュ状接続された２重リング、１２０、１２１は、第３階層のメッシュ状リングの第２階層との接続ノードで、そのノードのアドレスが設定されているドロップアドレスメモリ、１２２、１２３は、メッシュ網の各リングの入口のドロップアドレスメモリに第２階層との接続ノードのアドレスが設定されている例である。１４０は、国際網（メッシュ状網）である。
【０１１９】
１３０は端末Ａ（１１）が送出するセルの宛先アドレスであるＶＰＩ（第３階層のアドレスは国際接続を示すｆ、相手国の第２階層のアドレスｄ）およびＶＣＩ（Ｂ）、１３１は、端末Ａからの送出するセルがエッジノードリングをスルーする例、１３２は、第２階層の最下位リングをスルーする例、１３３は、第２階層の最上位リングをスルーする例、１３４は、端末Ａからのセルが、第３階層の最下位リングを周回する例、１３５は、端末Ａからのセルが、第３階層の最下位リングをドロップする例、１３６は、端末Ａからのセルが、相手国の第２階層の最上位リングをドロップする例、１３７は、端末Ａからのセルが、第２階層の最下位リングをドロップし、宛先エッジノードリングに接続する例、１３８は、端末Ａからのセルが、エッジノードリングをドロップし、宛先端末Ｂに接続する例である。他の回路動作は、実施例３と同じなので、説明を省略する。
【０１２０】
第３階層の１２２、１２３のドロップアドレスメモリへの片経路設定アドレスの書き込みは、第３階層の第２階層との接続ノードは、自信のアドレスを持つ片経路設定セルを、コピー可能セルに変換して、定期的に送出し、送出されたセルは、そのリングのメッシュ伝送路に接続する全ノードでコピーされて、メッシュ伝送路に送出され、メッシュ網伝送路の接続先リングの入口のドロップアドレスメモリにそのセルの持つアドレスを書き込んだ後、廃棄される。元のリングのコピー可能片経路設定セルは、ドロップアドレスメモリに、そのセルの持つアドレスのある元のノードに戻った場合、廃棄される。これにより、コピーされたセルがループになることを防いでいる。
【０１２１】
次に、本発明の第８実施例を図８に示す。この実施例は、第２階層が２重リングをツリー状に接続し、第３階層が２重リングをループ状に串刺し接続した、３階層からなる網で、この網は、固定電話番号アドレスを３階層に分けて用いる例で、国際接続の例である。また、この例は、片経路設定されている例である。
【０１２２】
９００は、第３階層のループ状に串刺し接続された２重リング、９０１、９０２は、第３階層のループ状串刺しリングの第２階層との接続ノードで、そのノードのアドレスが設定されているドロップアドレスメモリ、９０３、９０４は、ループ状串刺し網の各リングのループ接続ノードの入口のドロップアドレスメモリに第２階層との接続ノードのアドレスが設定されている例である。９４０は、国際網（ループ状串刺し網）である。
【０１２３】
９１０は端末Ａ（１１）が送出するセルの宛先アドレスであるＶＰＩ（第３階層のアドレスは国際接続を示すｆ、相手国の第２階層のアドレスｄ）およびＶＣＩ（Ｂ）、９１１は、端末Ａからの送出するセルがエッジノードリングをスルーする例、９１２は、第２階層の最下位リングをスルーする例、９１３は、第２階層の最上位リングをスルーする例、９１４は、端末Ａからのセルが、第３階層のループ状串刺しリングを周回する例、９１５は、端末Ａからのセルが、第３階層の第２階層との接続リングをドロップする例、９１６は、端末Ａからのセルが、相手国の第２階層の最上位リングをドロップする例、９１７は、端末Ａからのセルが、第２階層の最下位リングをドロップし、宛先エッジノードリングに接続する例、９１８は、端末Ａからのセルが、エッジノードリングをドロップし、宛先端末Ｂに接続する例である。他の回路動作は、実施例３と同じなので、説明を省略する。
【０１２４】
第３階層の９０３、９０４のドロップアドレスメモリへの片経路設定アドレスの書き込みは、第２階層網と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードで、隣接リングにドロップし、その隣接リングに上がった片経路設定セルまたは片経路設定パケットは、そのリング入口のドロップアドレスメモリにそのセルまたはパケットの持つアドレスとマークを書き込むとともにそれらを仮設定とし、そのリングを周回して、リング上のドロップアドレスメモリにそのセルまたはパケットの持つアドレスを持つノードがある場合には、そのリングを１周してアドレスが仮設定されているノードに戻った場合、その仮設定されたアドレスとマークを削除するとともに、そのセルまたはパケットを廃棄し、一方、リング上のドロップアドレスメモリにそのセルまたはパケットの持つアドレスを持つノードが無い場合には、そのリングを１周してアドレスが仮設定されているノードに戻った場合、その仮設定されたアドレスを本設定にするとともに、多周回ビットを付けて、リングを周回し、多周回ビットのある片経路設定セルまたは片経路設定パケットは、隣接ノードに接続するノードでドロップして、隣接リングに移り、隣接リングの入口のドロップアドレスメモリにそのアドレスとマークを仮設定し、上記と同様な動作を繰り返すことにより片経路設定する。
【０１２５】
または、第２階層網と接続するノードのアドレスをそのノードのドロップアドレスメモリに残すとともに、そのノードのアドレスを持つ片経路設定セルまたは片経路設定パケットを一度または定期的に、そのリングに周回させ、そのリング上の隣接リングに接続するノードにそのセルまたはパケットの持つアドレスの書き込みを禁止する記録を残して、元のノードまで周回させ、元のノードで多周回ビットを付けて、周回させ、多周回ビットの付いた片経路設定セルまたは片経路設定パケットは、隣接リングに接続するノードでドロップし、その隣接リングに上がった多周回ビット付片経路設定セルまたは片経路設定パケットは、そのリング入口のドロップアドレスメモリにそのセルまたはパケットの持つアドレスを書き込んだ後周回し、同様に離接ノード入口のドロップアドレスメモリに、そのアドレスの禁止が設定されているリングのノードまで、進み、そのアドレスの禁止が設定されているリングのノードで、その多周回ビット付片経路設定セルまたは片経路設定パケットは廃棄されることにより片経路設定する方法を用いる。
【０１２６】
次に、本発明の第９実施例を図９に示す。この実施例は、第２階層が２重リングをツリー状網の上にメッシュ網を置いた構造で接続し、第３階層がメッシュ状に接続した、３階層からなる網で、この網は、固定電話番号アドレスを３階層に分けて用いる例で、国際接続の例である。但し、第３階層は、固定電話番号に付加アドレスβを加え、アドレス長を拡張している。また、この例は、片経路設定されている例である。
【０１２７】
１５８は、第３階層のメッシュ状接続された２重リング、１５４、１５５は、第３階層のメッシュ状リングの第２階層との接続ノードで、その国の固定電話番号に第２階層のメッシュ状網リングとの接続ノードのアドレスが設定されているドロップアドレスメモリ、１５６、１５７は、メッシュ網の各リングの入口のドロップアドレスメモリに第２階層との接続ノードの拡張アドレスが設定されている例である。１５３は、第２階層の最上位に置かれたメッシュ状リングで、各メッシュ伝送路の入口のドロップアドレスメモリ１５１，１５２は、下位のツリー状網から上がった片経路設定セルが、そのリングでコピーセルに変換されて、各メッシュ伝送路に接続するノードでコピーされて、メッシュ伝送路に送出され、接続先のメッシュ状リングの入口のドロップアドレスメモリにそのセルの持つアドレスを設定して後廃棄されることにより、第２階層の最下位リングのエッジノードリングとの接続ノードのアドレスが記録される。
【０１２８】
また、１５３のメッシュ状リングは、直接、第３階層リングに接続するノード１７５があり、スルーセルは、そのノード経由で、国際接続される。そのノード１７５は、自国の国際電話番号にそのノード番号アドレスを加えた国際接続アドレスを持つ片経路設定セルまたは片経路設定パケットを定期的に、第３階層のメッシュ状リングに送出し、片経路を設定している。１６０は、国際網（メッシュ状網）、１６１は、市外網（ツリー状網の上にメッシュ状網を接続した網）である。１６２は端末Ａ（１１）が送出する発呼セルの送信元アドレスであるＶＰＩ（第３層の自国国際アドレスｅ＋０）と宛先アドレスであるＶＰＩ（第３階層のアドレスｆ＋０、相手国第２階層のアドレスｄ）およびＶＣＩ（Ｂ）、１６３は、端末Ａからの送出するセルがエッジノードリングをスルーする例、１６４は、端末Ａからの送出セルが、第２階層の最下位リングをスルーする例、１６５は、端末Ａからの送出セルが、第２階層のメッシュ網を経由せず、直接、第３階層リングへ接続するノード１７５までスルーする例、ノード１７５において、送信元国際接続アドレスの付加アドレス０の位置にそのノード番号アドレスである１が加わり、宛先国際アドレスは、相手国際電話番号アドレスであるｆに可能性のある全ての付加アドレスを加えた複数の国際接続アドレスに変換するとともに、コピーされる。
【０１２９】
図ではｆ＋Ｘが記入されているが、実際には発呼セルは多数コピーされる。１６６は、端末Ａからのセルが、そのノード１７５から第３階層のメッシュ伝送路に送出される例、１６７は、端末Ａからのセルが、第３階層のメッシュ状リングを転送する例、１６８は、端末Ａからのセルが、第３階層のメッシュ状リングをドロップし、相手国の第２階層のノード１７６に接続する例、１６９は、端末Ａからのセルが、宛先国の第２階層の最上位リングをドロップする例、１７０は、端末Ａからのセルが、宛先国の第２階層の最下位リングをドロップし、宛先エッジノードリングに接続する例、１７１は、端末Ａからのセルが、宛先国のエッジノードリングをドロップし、宛先端末Ｂに接続する例である。１７７は、拡張コピーされた国際接続アドレスの一例で、実際には多数のコピー発呼セルが相手国に到着するが、相手端末までは到達しない。
【０１３０】
１８０は、第３階層のアドレスが固定電話番号に付加アドレスβが加わっている例を示している。この例では、国際接続アドレスｆ＋Ｘだけが、ノード１７６で、転送されるアドレスが第２階層アドレスｄに変換され、端末まで到達している。コピーされた他の国際接続アドレスも第２階層アドレスｄに変換されるが、そのセルがその変換されたリングでのドロップノードが存在しないため、そこで廃棄される。尚、ノード１７６では、転送されるアドレスが第２階層アドレスｄに変換されるが、宛先国際接続アドレスＦ＋Ｘも送信元国際接続アドレスｅ＋１とともに、持ったまま、端末Ｂまで転送され、そのアドレスにより、端末Ｂは、応答セルまたは応答パケットまたは応答セルヘッダ付きパケットを作成し、発端末に応答する。
【０１３１】
この実施例では、自国内に国際接続されるメッシュ状リングの多数のノードが存在し、その各ノードは、別々の伝送路で、第３階層のメッシュ状リングに接続するため、国際接続用のアドレスが多数必要になるため、従来の固定電話番号の国際接続アドレス８ビットに付加アドレスを付け加えて、国際接続のアドレス空間を拡張することが必要になる。
【０１３２】
次に、本発明の第１０実施例を図１０に示す。この実施例は、第２階層が２重リングをツリー状に接続するし、第３階層が串刺状に接続した、３階層からなる網で、この網は、固定電話番号アドレスを３階層に分けて用いる例で、国際接続の例である。また、この例は、片経路設定されている例である。
【０１３３】
２０２は、第３階層の串刺し状リングで、両端のリング、２０１は、第３階層の串刺し状リングで、両端のリングでないリング、１９０、１９１は、第３階層の串刺し状リングの第２階層との接続ノードで自ノードのアドレスを記録したドロップアドレスメモリ、１９２から１９６は、第３階層の串刺し状リングの第２階層との接続ノードのアドレスを片経路設定セルにより、設定されたノードのドロップアドレスメモリである。２００は、国際網（串刺状網）である。
【０１３４】
２１０は端末Ａ（１１）が送出するセルの宛先アドレスであるＶＰＩ（第３階層のアドレスは国際接続を示すｆ、相手国の第２階層のアドレスｄ）およびＶＣＩ（Ｂ）、２１１は、端末Ａからの送出するセルがエッジノードリングをスルーする例、２２２は、第２階層の最下位リングをスルーする例、２２３は、第２階層の最上位リングをスルーする例、２２４は、端末Ａからのセルが、第３階層の串刺し状リングを転送する例、２２５は、端末Ａからのセルが、第３階層の串刺状リングをドロップし、相手国の第２階層へ接続する例、２２６は、端末Ａからのセルが、相手国の第２階層の最上位リングをドロップする例、２２７は、端末Ａからのセルが、第２階層の最下位リングをドロップし、宛先エッジノードリングに接続する例、２２８は、端末Ａからのセルが、エッジノードリングをドロップし、宛先端末Ｂに接続する例である。他の回路動作は、実施例３と同じなので、説明を省略する。
【０１３５】
第３階層の串刺し状リングの第２階層と接続するノードは、その接続ノードのドロップアドレスメモリにそのノードのアドレスを書き、そのアドレスを持つ片方向設定セルは、コピー可能セルに変換して、そのリングの隣接リングに接続するノードでコピーして、周回し、ドロップアドレスメモリにそのアドレスがある場合には、そのセルを廃棄する構成であり、コピーされて、隣接リングに上がった片経路設定セルは、そのリングの入口のドロップアドレスメモリにそのセルの持つアドレスを書き込み、そのリングを周回し、隣接リングに接続するノードでドロップし、隣接リングに上がり、上記動作を繰り返し、串刺しリング網の端のリングを周回し、ドロップアドレスメモリに既にそのセルの持つアドレスが存在するノードに到達した場合には、そのノードで、そのセルを廃棄する。
【０１３６】
次に、本発明の第１１実施例を図１１に示す。この実施例は、第２階層が２重リングをツリー状に接続するリング網で、第３階層がリング網を平面状に多数接続した固定経路が前もって、設定されているメッシュ状リング網である、３階層からなる網で、この網は、固定電話番号アドレスを３階層に分けて用いる例で、国際接続の例である。また、この例は、片経路設定されている例である。
【０１３７】
２５６は、第３階層の一つのリングが４つの他のリングと接続する平面メッシュ状リングである。２５０の第２階層と接続するノードのドロップアドレスメモリにはそのノードのアドレスｅが書き込まれ、そのアドレスは、２５３、２５５のドロップアドレスメモリにも前もって設定されている。また、２５１の第２階層と接続するノードのドロップアドレスメモリにはそのノードのアドレスｆが書き込まれ、そのアドレスは、２５２、２５４のドロップアドレスメモリにも前もって設定されている。２７９は、国際網（平面メッシュ状網）である。
【０１３８】
２６０は端末Ａ（１１）が送出するセルの宛先アドレスであるＶＰＩ（第３階層のアドレスは国際接続を示すｆ、相手国の第２階層のアドレスｄ）およびＶＣＩ（Ｂ）、２６１は、端末Ａからの送出するセルがエッジノードリングをスルーする例、２６２は、第２階層の最下位リングをスルーする例、２６３は、第２階層の最上位リングをスルーする例、２６４，２６５は、端末Ａからのセルが、第３階層の平面メッシュ状リングを転送する例、２６６は、端末Ａからのセルが、第３階層の平面メッシュ状リングをドロップし、相手国の第２階層へ接続する例、２６７は、端末Ａからのセルが、相手国の第２階層の最上位リングをドロップする例、２６８は、端末Ａからのセルが、第２階層の最下位リングをドロップし、宛先エッジノードリングに接続する例、２６９は、端末Ａからのセルが、エッジノードリングをドロップし、宛先端末Ｂに接続する例である。他の回路動作は、実施例３と同じなので、説明を省略する。
【０１３９】
次に、本発明の第１２実施例を図１２に示す。この実施例は、実施例３から１１のＭＡＣアドレス分割転送網４００を既存インターネット網に適用した例で、ネットサーフィンに、ＭＡＣアドレスヘッダ変換回路４０４を用いる例である。既存ＩＰ端末Ｅ４０１から送出されたパケットは、最下位階層アドレス４０８で転送されて、実施例１から９で説明したＭＡＣアドレス分割転送網４００を経由して、最下位階層アドレス４０９で転送されて既存ＩＰサーバＦ４０２に達して、サービスを受ける。
【０１４０】
既存ＩＰサーバＦ４０２から既存ＩＰサーバＧ４０３にネットサーフィンする場合は、既存ＩＰサーバＧ４０３のＩＰアドレスを元に、ＭＡＣアドレスヘッダ変換回路４０４で、既存ＩＰ端末Ｅ４０１から到着したパケットのＭＡＣアドレスを変換して、ＭＡＣアドレス分割転送網４００経由で、既存ＩＰサーバＧ４０３に最下位階層アドレス４１０で、接続して、既存ＩＰサーバＧ４０３のサービスを受ける。この実施例は、既存インターネット網のサーバと、接続ＩＰアドレスを変えずに、ＭＡＣアドレス分割転送網経由で接続できるため、既存インターネット網の網コストが下がる特徴がある。
【０１４１】
次に本発明の第１３実施例を図１３に示す。この実施例は、実施例３から１１のＭＡＣアドレス分割転送網４００を既存インターネット網に適用した例で、ネットサーフィンに、ＭＡＣアドレスヘッダ変換回路４０４を、既存ＭＡＣ網４３０，４３１、４３２経由で用いる例である。既存ＩＰ端末Ｅ４０１から送出されたパケットは、既存ＭＡＣ網４３０を経由して、最下位階層アドレス４３３で転送されて、実施例１から９で説明したＭＡＣアドレス分割転送網４００を経由して、最下位階層アドレス４３４で転送されて、既存ＭＡＣ網４３１を経由して、既存ＩＰサーバＦ４０２に達して、サービスを受ける。
【０１４２】
既存ＩＰサーバＦ４０２から既存ＩＰサーバＧ４０３にネットサーフィンする場合は、既存ＩＰサーバＧ４０３のＩＰアドレスを元に、ＭＡＣアドレスヘッダ変換回路４０４で、既存ＩＰ端末Ｅから到着したパケットのＭＡＣアドレスを変換して、ＭＡＣアドレス分割転送網４００経由で、既存ＩＰサーバＧ４０３に、既存ＭＡＣ網４３１、４３２経由で、最下位階層アドレス４３４、４３５で、接続して、既存ＩＰサーバＧ４０３のサービスを受ける。この実施例は、既存インターネット網のサーバと、接続ＩＰアドレスを変えずに、ＭＡＣアドレス分割転送網経由で接続できるため、既存インターネット網の網コストが下がる特徴がある。
【０１４３】
次に、本発明の第１４実施例を図１４に示す。この実施例は、実施例３から１１のＭＡＣアドレス分割転送網４００を既存インターネット網に適用した例で、ネットサーフィンに、ＭＡＣアドレスヘッダ変換回路を用いずに、接続先既存ＩＰサーバＦ４０２から、ネットサーフィン先である既存ＩＰサーバＧ４０３のＩＰアドレスを既存ＩＰ端末Ｅ４０１が、受け取り、既存ＩＰ端末Ｅ４０１から直接、既存ＩＰサーバＧ４０３に接続して、サービスを受けるれいである。この実施例は、実施例１０の、ＭＡＣアドレスヘッダ変換回路が無いだけで、他の回路は同じである。実施例１０から１２では、ＩＰ端末またはＩＰサーバは、それらの持つ既存ＩＰアドレスで、他のＩＰ端末またはＩＰサーバと従来通りの接続関係を維持できる特徴がある。
【０１４４】
実施例１４は、ＭＡＣアドレス分割転送網４００を用いる例であるが、ＭＡＣアドレス分割転送網の代わりに、実施例３から１１で説明した網で転送されるパケットがセルであるセルヘッダアドレス分割転送網を用いても同様に、既存ＩＰ端末と既存ＩＰサーバを接続して、サービスを受けることができる。
次に、本発明の第１５実施例を図１５に示す。この実施例は、実施例３から１１の第３階層および第２階層ＭＡＣアドレス分割転送網７００を、第１階層の無線エッジノードリング７０３，７０４に接続した例である。
【０１４５】
７００は、第３階層および第２階層ＭＡＣアドレス分割転送網、７０１は、無線の発信側の局、７０２は、無線の着信側の局、７０３は、第１階層の発信側無線エッジノードリング、７０４は、第１階層の着信側無線エッジノードリング、７０５は、携帯番号登録用リング、７０６は、送信リング、７０７は、着信リング、７０８は、無線エッジノードリング７０３，７０４が、上位網に接続するノード、７０９は、送信リング７０６が、上位網と接続する伝送路、７１０は、着信リング７０７が、上位網と接続する伝送路、７１１から７１８は、無線基地局、７１９は、発携帯端末Ｋ、７２０は、着携帯端末Ｌである。また、ａは発携帯アドレスメモリ、ｂは送信アドレスメモリ、ｃは着信アドレスメモリである。Ａの発携帯アドレスメモリは、その上位アドレス位置に下位アドレスをデータとして記録するＲＡＭ，ＳＲＡＭ，ＣＡＭ等のメモリであり、ｂ，ｃの１フローアドレスを記録するメモリは、そのリングの属する階層アドレスのみを記録するＲＡＭ，ＳＲＡＭ，ＣＡＭ等のドロップアドレスメモリ、またはドロップアドレステーブルである。発信側の局７０１、着信側の局７０２は、最下位階層アドレスまでの変換回路を介して、中間階層アドレスを与えられている。
【０１４６】
発信側無線エッジノードリング７０３のノードに置かれる発携帯アドレスメモリａは、携帯番号が登録されるメモリであり、発携帯端末ｋ（７１９）の発呼時は、発携帯端末７１９は、発携帯端末番号を含む電波を出し、発携帯端末７１９から初めて電波を受けた基地局７１５から７１８は、その発携帯端末７１９の携帯番号を含む発呼登録パケットをそのノードの属する携帯登録用リング７０５に上げ、そのノードの発携帯アドレスメモリａにその携帯番号を記録するとともに、そのノード番号をその登録パケットに書き込んで、携帯登録用リング７０５上を周回させ、その携帯番号がノードの発携帯アドレスメモリａに記録されている場合で、そのノード番号が、そのパケットの持つノード番号より大きい場合には、その携帯番号記録を消し、一方、その携帯番号が記録されている場合で、そのノード番号が、そのパケットの持つノード番号より小さい場合には、その旨をそのパケットに記録して、そのパケットに記録されているノード番号の元のノードに戻り、そのノードの発携帯アドレスメモリａの記録した携帯番号の記録を消去する構成であり、その発携帯アドレスメモリａへの携帯番号の書き込みから一定時間経過しても記録が残っている場合には、そのノードが発呼受付したと判断し、その携帯番号にその無線エッジノードリングでユニークな１フローアドレスを与えて、その１フローアドレスを、そのノードの送信リング７０６の送信アドレスメモリｂおよび着信リング７０７の着信アドレスメモリｃに記録し、その旨を、そのノードの基地局が、発信側の局７０１へ、その基地局のその階層のアドレスとその１フローアドレスと発携帯番号とそのホームメモリと相手携帯番号とそのホームメモリまたは接続先ＩＰアドレスまたは相手固定電話番号を持つパケットを送出して、発呼処理を行う。着信側の局は、相手ホームメモリに問い合わせて、相手携帯端末の属する着信側の局位置を得、その着信側の局に相手呼び出しを依頼する。
【０１４７】
着信処理においては、着信側無線エッジノードリング７０４のノードに置かれる着信アドレスメモリｃは、着信１フローアドレスが登録されるメモリであり、着信時は、着信側の局７０２が、着信携帯端末７２０が現在存在すると思われる無線エッジノードリング上の全ての基地局から一斉にその無線エッジノードリングでユニークな１フローアドレスを含む着信端末携帯番号を呼び出し、着信端末からの１フローアドレスを含む応答電波を受けた基地局７１１から７１４が、その着信応答端末の１フローアドレスを含む着信応答登録パケットをそのノードの属する着信リング７０７に上げ、そのノードの着信アドレスメモリｃにその１フローアドレスを記録するとともに、そのノード番号をその着信登録パケットに書き込んで、着信リング７０７上を周回させ、そのリング上の着信アドレスメモリｃにその１フローアドレスが記録されていない場合には、その１フローアドレスの記録を禁止する処置を行い、記録されている場合で、そのノード番号が、そのパケットの持つノード番号より大きい場合には、その記録を消すとともに、その１フローアドレスの書き込みを禁止する処置を取り、一方、記録されている場合で、そのノード番号が、そのパケットの持つノード番号より小さい場合には、その旨をパケットに記録して、そのパケットに記録されているノード番号の元のノードに戻り、そのノードの着信アドレスメモリｃの記録した１フローアドレスの記録を消去するとともに、その１フローアドレスの書き込みを禁止する処置を取る構成であり、その着信アドレスメモリｃへの１フローアドレスの書き込みから一定時間経過しても記録が残っている場合には、そのノードが着信応答受付したと判断し、そのノードの基地局が、前記着信側の局７０２へ、その基地局のその階層のアドレスと１フローアドレスと発携帯番号と着信携帯番号を持つパケットを送出して、着信応答処理を行う。
【０１４８】
また、途中で、無線エリアが変わった場合には、無線エッジノードリングのノードに置かれる送信アドレスメモリｂは、携帯番号の持つ１フローアドレスが登録されるメモリであり、携帯端末の受信エリアが変わったと判断した時は、その携帯端末は、それまで出していた発信番号より一つ増加した発信番号の電波を出し、携帯端末から初めてかこれまでと発信番号の異なる電波を受けた基地局で、その携帯端末を接続中でない基地局は、その携帯端末の１フローアドレスと発信番号を含む移動登録パケットをそのノードの属する送信リング７０６に上げ、そのノードの送信アドレスメモリｂにその１フローアドレスと発信番号を記録するとともに、そのノード番号をその移動登録パケットに書き込んで、送信リング７０６上を周回させ、その１フローアドレスがノードの送信アドレスメモリｂに記録されている場合で、その記録されている発信番号がそのパケットの持つ発信番号より小さい場合には、そのノードの送信アドレスメモリｂと着信アドレスメモリｃのその発信番号と１フローアドレス記録を消去し、発信番号が同じでそのノード番号が、そのパケットの持つノード番号より大きい場合には、そのノードの送信アドレスメモリｂのその発信番号と１フローアドレス記録を消し、一方、１フローアドレスが記録されている場合で、発信番号がそのパケットの持つ番号と同じで、そのノード番号が、そのパケットの持つノード番号より小さい場合には、その旨をそのパケットに記録して、そのパケットに記録されているノード番号の元のノードに戻り、そのノードの送信リング７０６の記録した１フローアドレスと発信番号の記録を消去する構成であり、その送信アドレスメモリｂへの１フローアドレスの書き込みから一定時間経過しても記録が残っている場合には、そのノードが移動受付したと判断し、その１フローアドレスを着信リング７０７の着アドレスメモリｃに記録し、その旨を、そのノードの基地局が、発信側の局７０１または着信側の局７０２へ、その基地局のその階層のアドレスと１フローアドレスとその携帯番号とそのホームメモリと相手携帯番号とそのホームメモリまたは接続先ＩＰアドレスまたは相手固定電話番号を持つパケットを送出して、移動受付処理を行う。
【０１４９】
尚、自無線エッジノードリング内で発携帯端末と着携帯端末を接続する場合には、送信リング７０６上の送信アドレスメモリｂを用いて行う。
【０１５０】
次に、実施例３から１１で転送されるセルヘッダ構成例を図１６、図１７に示す。図１６と図１７では、市外網用のアドレスビットの割り当てが異なる。
【０１５１】
図１６において、５００は、ダブルセルヘッダ構成例、５０１は前方セルヘッダ、５０２は後方セルヘッダ、５０３は８ビットのＣＲＣビット、５０４はＩＰパケット、５０５は、国内選択／国際接続用８ビット、５０６は、自国内宛先／相手外国国内宛先市外網用２０ビット、５０７は、制御用ビット４ビット、５０８は、宛先市内用１６ビット、５０９は、宛先エッジノードリングでの送信元識別４ビット（暗号Ａ）＋暗号８ビット（暗号Ｂ）、５１０は、制御用４ビットである。この例では、送信元アドレスが無く、宛先サーバを使用する端末を識別するための送信元識別ビットが４ビットと少なく、接続端末数が１６に限定され、サーバによっては少なすぎるので、それを拡大した例を図１７に示す。
【０１５２】
図１７において、５００は、ダブルセルヘッダ構成例、５０１は前方セルヘッダ、５０２は後方セルヘッダ、５０３は８ビットのＣＲＣビット、５０４はＩＰパケット、５２０は、国内選択／国際接続用８ビット、５２１は、自国内宛先／相手外国国内宛先市外網用１６ビット、５２２は、制御用ビット８ビット、５２３は、宛先市内用１６ビット、５２４は、宛先エッジノードリングでの送信元識別８ビット（暗号Ａ）＋暗号８ビット（暗号Ｂ）である。この例では、サーバにおける端末識別ビットが８ビットであり、２５６の端末を収容可能になる。
【０１５３】
次に、実施例９、実施例１２，１３，１４，１５で、用いる国際接続用のアドレスを拡張した３階層ＭＡＣ処理形ヘッダ構成例５５０の例を図１８に示す。５５１は先頭ＭＡＣヘッダ、５５２は２番目のＭＡＣヘッダ、５５３は３番目のＭＡＣヘッダ、５５４はＩＰパケット、５５５は、同期用等の２８ビット、５５６は制御用１２ビット、５５７はパケット長１２ビット、５５８は、国内選択／国際接続宛先用１２ビット、５５９は、国内選択／国際接続送信元用１２ビット、５６０はＣＲＣ用ビット、５６１は、自国内宛先／相手外国国内宛先市外網用２８ビット、５６２は、宛先市内網用１６ビット、５６３は、送信元市内網用１６ビット、５６４は予備／制御用１６ビット、５６５は、ＣＲＣ用１２ビット、５６６は、既存ＭＡＣ／新ＭＡＣ（固定電話番号、携帯電話番号）用９６ビットである。この例は、国内市外網用ビット以外は送信元アドレスと宛先アドレスを持ち、かつ、先頭ビットでパケットの同期を取る例である。
【０１５４】
以上、本発明の実施例を説明したが、本発明はその目的と利点を損なうことのない適宜の変形を含み、更に、上記の実施形態よる限定は受けない。
【符号の説明】
【０１５５】
８５０  市内網（メッシュ網）からなる第１階層
８５１  市外網（メッシュ網）からなる第２階層
８５２  国際網（メッシュ網）からなる第３階層
８５６，８５７，８５８，８５９  第１階層のＬ２スイッチ
８６５，８６１，８６２，８６０、８６３，８６４  第２階層のＬ２スイッチ
８６６，８６７，８６８  第３階層のＬ２スイッチ
８５７、８５８，８５９  地域階梯内の集点ノードで、上位網との接続ノード
８６３，８６４  市外階梯内の集点ノードで、国際網との接続関門ノード
８６０，８６１，８６２  下位網との接続ノードで、自階層内での自ノードのＭＡＣアドレスを持つノード
８６６，８６７  国際網の下位網と接続ノードで、国際網内での自ノードＭＡＣアドレスを持つノード
８５３  送信端末Ａ
８５４  受信端末Ｂ
８５５  送信端末Ａが送出するパケット
８９０  この網で使用される固定電話番号の３階層アドレス
８７０  市内網（メッシュ網）からなる第１階層
８７１  市外網（メッシュ網）からなる第２階層
８７２  国際網（メッシュ網）からなる第３階層
８７６，８７７，８７８，８７９  第１階層のＬ２スイッチ
８８５，８８１，８８２，８８０、８８３，８８４  第２階層のＬ２スイッチ
８８６，８８７，８８８  第３階層のＬ２スイッチ
８７７、８７８，８７９  地域階梯内の集点ノードで、上位網との接続ノード
８８３，８８４  市外階梯内の集点ノードで、国際網との接続関門ノード
８８０，８８１，８８２  下位網との接続ノードで、自階層内での自ノードのＭＡＣアドレスを持つノード
８８６，８８７  国際網の下位網と接続ノードで、国際網内での自ノードＭＡＣアドレスを持つノード
８７３  送信端末Ａ
８７４  受信端末Ｂ
８７５  送信端末Ａが送出するパケット
１  市内網（エッジノードリング）２からなる第１階層
３  市外網（ツリー状網）４からなる第２階層
５  国際網（ツリー状網）６からなる第３階層
７  エッジノード２重リング
８  第２階層の２重リング
９  第３階層の２重リング
１０  固定電話番号アドレス
１１  発側端末Ａ
１２  着側端末Ｂ
５０  第２階層の最下位リングのエッジノードリングと接続するノードの自信のアドレス（ａ，ｂ，ｃ，ｄ）を持つドロップアドレスメモリ
５１  第２階層の最下位リングが上位リングに接続するノードのドロップアドレスメモリ
５２  第２階層の最上位リングが、第３階層リングに接続するノードのドロップアドレスメモリ
５３  第２階層の最上位リングが下位リングと接続するノードのドロップアドレスメモリ
５４  第３階層の最下位リングの第２階層リングと接続するノードの自信のアドレス（ｅ，ｆ，ｇ，ｈ）を持つドロップアドレスメモリ
５５  第３階層の最上位リングの下位リングと接続するノードのドロップアドレスメモリ
５７  第３階層の最下位リングが上位リングに接続するノードのドロップアドレスメモリ
６０  端末Ａ（１１）が送出するセルの宛先アドレスであるＶＰＩおよびＶＣＩ
６１  端末Ａからの送出するセルがエッジノードリングをスルーする例
６２  端末Ａからの送出セルが、第２階層の最下位リングをスルーする例
６３  端末Ａからのセルが、第２階層の最上位リングをスルーする例
６４、６５  端末Ａからのセルが、第３階層の最下位リングを周回する例
６６  端末Ａからのセルが、多周回ビット（ｍｒ）を付けられて周回する例
６７  端末Ａからの多周回ビットを付けられたセルの宛先アドレスｈが書き込まれた上位リングとの接続ノードのドロップアドレスメモリ
６８  端末Ａからのセルが、第３階層の最上位リングをドロップする例
６９  端末Ａからのセルが、第３階層の最下位リングをドロップし、第２階層に接続する例
７０  端末Ａからのセルが、宛先国の第２階層の最上位リングをドロップする例
７１  端末Ａからのセルが、宛先国の第２階層の最下位リングをドロップし、宛先エッジノードリングに接続する例
７２  端末Ａからのセルが、宛先国のエッジノードリングをドロップし、宛先端末Ｂに接続する例
７３  宛先端末ＢのアドレスＢが書かれているドロップアドレスメモリ
８０  事前に設定された第２階層の最上位リングを除く、第２階層の各リングの上位リングに上がるノードのドロップアドレスメモリに宛先アドレスが設定されている例
８１  事前に設定された第３階層の最上位リングを除く、第３階層の各リングの上位リングに上がるノードのドロップアドレスメモリに宛先アドレスが設定されている例
８２  端末Ａ（１１）が送出するセルの宛先アドレスであるＶＰＩおよびＶＣＩ
８３  端末Ａからの送出するセルがエッジノードリングをスルーする例
８４  端末Ａからの送出セルが、第２階層の最下位リングをスルーする例
８５  端末Ａからの送出セルが、第２階層の最上位リングをスルーする例
８６  端末Ａからのセルが、第３階層の最下位リングを周回する例
８７  端末Ａからのセルが、第３階層の最上位リングに到達した例
８８  端末Ａからのセルが、第３階層の最上位リングをドロップする例
８９  端末Ａからのセルが、第３階層の最下位リングをドロップし、第２階層に接続する例
９０  端末Ａからのセルが、宛先国の第２階層の最上位リングをドロップする例
９１  端末Ａからのセルが、宛先国の第２階層の最下位リングをドロップし、宛先エッジノードリングに接続する例
９２  端末Ａからのセルが、宛先国のエッジノードリングをドロップし、宛先端末Ｂに接続する例
９３  宛先端末ＢのアドレスＢが書かれているドロップアドレスメモリ
１００  端末Ａ（１１）が送出するセルの宛先アドレスであるＶＰＩおよびＶＣＩ
１０１  端末Ａからの送出するセルがエッジノードリングをスルーする例
１０２、１０３  端末Ａからのセルが、第２階層の最下位リングを周回する例
１０４  端末Ａからのセルが、多周回ビット（ｍｒ）を付けられて周回する例
１０５  端末Ａからの多周回ビットを付けられたセルの宛先アドレスａが書き込まれた上位リングとの接続ノードのドロップアドレスメモリ
１０６  端末Ａからのセルが、第２階層の最上位リングをドロップする例
１０７  端末Ａからのセルが、第２階層の最下位リングをドロップし、宛先エッジノードリングに接続する例
１０８  端末Ａからのセルが、エッジノードリングをドロップし、宛先端末Ｂに接続する例
１０９  宛先端末ＢのアドレスＢが書かれているドロップアドレスメモリ
１１０  端末Ａ（１１）が送出するセルの宛先アドレスであるＶＰＩおよびＶＣＩ
１１１  端末Ａからの送出するセルがエッジノードリングをスルーする例
１１２  端末Ａからのセルが、第２階層の最下位リングを周回する例
１１３  端末Ａからのセルが、第２階層の最上位リングをドロップする例
１１４  端末Ａからのセルが、第２階層の最下位リングをドロップし、宛先エッジノードリングに接続する例
１１５  端末Ａからのセルが、エッジノードリングをドロップし、宛先端末Ｂに接続する例
１１６  宛先端末ＢのアドレスＢが書かれているドロップアドレスメモリ
２１  第３階層のメッシュ状接続された２重リング
１２０、１２１  第３階層のメッシュ状リングの第２階層との接続ノードで、そのノードのアドレスが設定されているドロップアドレスメモリ
１２２、１２３  メッシュ網の各リングの入口のドロップアドレスメモリに第２階層との接続ノードのアドレスが設定されている例
１４０  国際網（メッシュ状網）
１３０  端末Ａ（１１）が送出するセルの宛先アドレスであるＶＰＩおよびＶＣＩ
１３１  端末Ａからの送出するセルがエッジノードリングをスルーする例
１３２  第２階層の最下位リングをスルーする例
１３３  第２階層の最上位リングをスルーする例
１３４  端末Ａからのセルが、第３階層の最下位リングを周回する例
１３５  端末Ａからのセルが、第３階層の最下位リングをドロップする例
１３６  端末Ａからのセルが、相手国の第２階層の最上位リングをドロップする例
１３７  端末Ａからのセルが、第２階層の最下位リングをドロップし、宛先エッジノードリングに接続する例
１３８  端末Ａからのセルが、エッジノードリングをドロップし、宛先端末Ｂに接続する例
９００  第３階層のループ状に串刺し接続された２重リング
９０１、９０２  第３階層のループ状串刺しリングの第２階層との接続ノードで、そのノードのアドレスが設定されているドロップアドレスメモリ
９０３、９０４  ループ状串刺し網の各リングのループ接続ノードの入口のドロップアドレスメモリに第２階層との接続ノードのアドレスが設定されている例
９４０  国際網（ループ状串刺し網）
９１０  端末Ａ（１１）が送出するセルの宛先アドレスであるＶＰＩおよびＶＣＩ
９１１  端末Ａからの送出するセルがエッジノードリングをスルーする例
９１２  第２階層の最下位リングをスルーする例
９１３  第２階層の最上位リングをスルーする例
９１４  端末Ａからのセルが、第３階層のループ状串刺しリングを周回する例
９１５  端末Ａからのセルが、第３階層の第２階層との接続リングをドロップする例
９１６  端末Ａからのセルが、相手国の第２階層の最上位リングをドロップする例
９１７  端末Ａからのセルが、第２階層の最下位リングをドロップし、宛先エッジノードリングに接続する例
９１８  端末Ａからのセルが、エッジノードリングをドロップし、宛先端末Ｂに接続する例
１５８  第３階層のメッシュ状接続された２重リング
１５４、１５５  第３階層のメッシュ状リングの第２階層との接続ノードで、その国の固定電話番号に第２階層のメッシュ状網リングとの接続ノードのアドレスが設定されているドロップアドレスメモリ
１５６、１５７  メッシュ網の各リングの入口のドロップアドレスメモリに第２階層との接続ノードの拡張アドレスが設定されている例
１５３  第２階層の最上位に置かれたメッシュ状リングで、各メッシュ伝送路の入口のドロップアドレスメモリ
１５１，１５２  下位のツリー状網から上がった片経路設定セル
１５３  メッシュ状リング
１７５  直接、第３階層リングに接続するノード
１６０  国際網（メッシュ状網）
１６１  市外網（ツリー状網の上にメッシュ状網を接続した網）
１６２  端末Ａ（１１）が送出する発呼セルの送信元アドレスであるＶＰＩおよびＶＣＩ
１６３  端末Ａからの送出するセルがエッジノードリングをスルーする例
１６４  端末Ａからの送出セルが、第２階層の最下位リングをスルーする例
１６５  端末Ａからの送出セルが、第２階層のメッシュ網を経由せず、直接、第３階層リングへ接続するノード１７５までスルーする例
１６６  端末Ａからのセルが、そのノード１７５から第３階層のメッシュ伝送路に送出される例
１６７  端末Ａからのセルが、第３階層のメッシュ状リングを転送する例
１６８  端末Ａからのセルが、第３階層のメッシュ状リングをドロップし、相手国の第２階層のノード１７６に接続する例
１６９  端末Ａからのセルが、宛先国の第２階層の最上位リングをドロップする例
１７０  端末Ａからのセルが、宛先国の第２階層の最下位リングをドロップし、宛先エッジノードリングに接続する例
１７１  端末Ａからのセルが、宛先国のエッジノードリングをドロップし、宛先端末Ｂに接続する例
１７７  拡張コピーされた国際接続アドレスの一例
１８０  第３階層のアドレスが固定電話番号に付加アドレスβが加わっている例
２０２  第３階層の串刺し状リングで、両端のリング
２０１  第３階層の串刺し状リングで、両端のリングでないリング
１９０、１９１  第３階層の串刺し状リングの第２階層との接続ノードで自ノードのアドレスを記録したドロップアドレスメモリ
１９２から１９６  第３階層の串刺し状リングの第２階層との接続ノードのアドレスを片経路設定セルにより、設定されたノードのドロップアドレスメモリ
２００  国際網（串刺状網）
２１０  端末Ａ（１１）が送出するセルの宛先アドレスであるＶＰＩおよびＶＣＩ
２１１  端末Ａからの送出するセルがエッジノードリングをスルーする例
２２２  第２階層の最下位リングをスルーする例
２２３  第２階層の最上位リングをスルーする例
２２４  端末Ａからのセルが、第３階層の串刺し状リングを転送する例
２２５  端末Ａからのセルが、第３階層の串刺状リングをドロップし、相手国の第２階層へ接続する例
２２６  端末Ａからのセルが、相手国の第２階層の最上位リングをドロップする例
２２７  端末Ａからのセルが、第２階層の最下位リングをドロップし、宛先エッジノードリングに接続する例
２２８  端末Ａからのセルが、エッジノードリングをドロップし、宛先端末Ｂに接続する例
２５６  第３階層の一つのリングが４つの他のリングと接続する平面メッシュ状リング
２５０  第２階層と接続するノードのドロップアドレスメモリ
２５３、２５５  ドロップアドレスメモリ
２５１  第２階層と接続するノードのドロップアドレスメモリ
２５２、２５４  ドロップアドレスメモリ
２６０  端末Ａ（１１）が送出するセルの宛先アドレスであるＶＰＩおよびＶＣＩ
２６１  端末Ａからの送出するセルがエッジノードリングをスルーする例
２６２  第２階層の最下位リングをスルーする例
２６３  第２階層の最上位リングをスルーする例
２６４，２６５  端末Ａからのセルが、第３階層の平面メッシュ状リングを転送する例
２６６  端末Ａからのセルが、第３階層の平面メッシュ状リングをドロップし、相手国の第２階層へ接続する例
２６７  端末Ａからのセルが、相手国の第２階層の最上位リングをドロップする例
２６８  端末Ａからのセルが、第２階層の最下位リングをドロップし、宛先エッジノードリングに接続する例
２６９  端末Ａからのセルが、エッジノードリングをドロップし、宛先端末Ｂに接続する例
４００  ＭＡＣアドレス分割転送網
４０４  ＭＡＣアドレスヘッダ変換回路
４０１  既存ＩＰ端末Ｅ
４０８，４０９，４１０  最下位階層アドレ
４０２  既存ＩＰサーバＦ
４０３  既存ＩＰサーバＧ
７００  第３階層および第２階層ＭＡＣアドレス分割転送網
７０１  無線の発信側の局
７０２  無線の着信側の局
７０３  第１階層の発信側無線エッジノードリング
７０４  第１階層の着信側無線エッジノードリング
７０５  携帯番号登録用リング
７０６  送信リング
７０７  着信リング
７０８  無線エッジノードリング
７０３，７０４  上位網に接続するノード
７０９  送信リング７０６が、上位網と接続する伝送路
７１０  着信リング７０７が、上位網と接続する伝送路
７１１から７１８  無線基地局
７１９  発携帯端末Ｋ
７２０  着携帯端末Ｌ
５００  ダブルセルヘッダ構成例
５０１  前方セルヘッダ
５０２  後方セルヘッダ
５０３  ８ビットのＣＲＣビット
５０４  ＩＰパケット
５０５  国内選択／国際接続用８ビット
５０６  自国内宛先／相手外国国内宛先市外網用２０ビット
５０７  制御用ビット４ビット
５０８  宛先市内用１６ビット
５０９  宛先エッジノードリングでの送信元識別４ビット（暗号Ａ）＋暗号８ビット（暗号Ｂ）
５１０  制御用４ビット
５２０  国内選択／国際接続用８ビット
５２１  自国内宛先／相手外国国内宛先市外網用１６ビット
５２２  制御用ビット８ビット
５２３  宛先市内用１６ビット
５２４  宛先エッジノードリングでの送信元識別８ビット（暗号Ａ）＋暗号８ビット（暗号Ｂ）
５５０  国際接続用のアドレスを拡張した３階層ＭＡＣ処理形ヘッダ構成例
５５１  先頭ＭＡＣヘッダ
５５２  ２番目のＭＡＣヘッダ
５５３  ３番目のＭＡＣヘッダ
５５４  ＩＰパケット
５５５  同期用等の２８ビット
５５６  制御用１２ビット
５５７  パケット長１２ビット
５５８  国内選択／国際接続宛先用１２ビット
５５９  国内選択／国際接続送信元用１２ビット
５６０  ＣＲＣ用ビット
５６１  自国内宛先／相手外国国内宛先市外網用２８ビット
５６２  宛先市内網用１６ビット
５６３  送信元市内網用１６ビット
５６４  予備／制御用１６ビット
５６５  ＣＲＣ用１２ビット
５６６  既存ＭＡＣ／新ＭＡＣ（固定電話番号、携帯電話番号）用９６ビット
８００  行列アドレス
８０１  ＭＡＣアドレスデータエリアＭＡ（４８ビット）
８０２  インデックスエリアＩＡ
８２０  行列アドレス
８２１  ＭＡＣアドレスデータエリアＭＡ（４８ビット）
８２２  インデックスエリアＩＡ
９００  受信ＭＡＣアドレス
９０１  ＣＲＣ等のハッシュ関数
９０２  ハッシュ値であるエントリテーブル９０３のアドレス指定ビット（１０ビット）
９０３  エントリテーブル
９０４  登録ＭＡＣアドレス
９０５，９０６，９０７，９０８  比較器
９０９  比較用ＭＡＣアドレス
９１０  ＯＲ回路
９１１  一致検出信号
３０５，３０６  ノード装置
３００、３０１  各ポートに入力するパケットのソースアドレスとその入力ポートと  を記録したＭＡＣアドレステーブル
３０２  右回りリング伝送路
３０３  左回りリング伝送路
３０４  入力パケットのヘッダ読み取り回路
３０７，３０８  ＡＤＤ伝送路のポート
３０９，３１０  リング伝送路のポート
３２１  ０系リング伝送路
３２０  １系リング伝送路
３２２  ノードＡ
３２３  ノードＢ
３２４  ノードＣ
３２５  ノードＤ
３３０  端末Ｈ
３３１  端末Ｆ
３３２  端末Ｇ
６０９  現用ドロップアドレステーブル
６１０  予備ドロップアドレステーブル
６００  ０系リング伝送路
６０１  １系リング伝送路
６０２  ＡＤＤ伝送路
６０３  ＤＲＯＰ伝送路
６０４  ＭＡＣＢＡ（Ｂは宛先ＭＡＣアドレス、Ａは送信元ＭＡＣアドレス）
６０５  ＭＡＣＡＢ
６０６  ０系伝送路のパケットのヘッダ読み取り回路（ＢＵＦ付）
６０７  １系伝送路のパケットのヘッダ読み取り回路（ＢＵＦ付）
６０８  パケット振り分け回路（ＢＵＦ付）
【図９】
2014116854.tif 000003
【図１０】
2014116854.tif 000004
【図１１】
2014116854.tif 000005
【図１２】
2014116854.tif 000006
【図１３】
2014116854.tif 000007
【図１４】
2014116854.tif 000008
【図１５】
2014116854.tif 000009
【図１６】
2014116854.tif 000010
【図１７】
2014116854.tif 000011
【図１８】
2014116854.tif 000012
【図１９】
2014116854.tif 000013
【図２０】
2014116854.tif 000014
【図１】
2014116854.tif 000015
【図２】
2014116854.tif 000016
【図３】
2014116854.tif 000017
【図４】
2014116854.tif 000018
【図５】
2014116854.tif 000019
【図６】
2014116854.tif 000020
【図７】
2014116854.tif 000021
【図８】
2014116854.tif 000022
【図２１】
2014116854.tif 000023
【図２２】
2014116854.tif 000024
【図２３】
2014116854.tif 000025
【図２４】
2014116854.tif 000026
【図２５】
2014116854.tif 000027